(57)【特許請求の範囲】
【請求項１】
周囲に複数の図柄が付された複数の回転リールと、
回転リールの回転を開始させるためのスタートスイッチと、
回転リールの回転を停止させるためのストップスイッチと、
予め貯留した遊技媒体の内部投入が可能なベットスイッチと、
遊技を制御する制御装置とを備え、
遊技媒体の直接投入又は内部投入により遊技の開始を可能とし、スタートスイッチの操作を条件として回転リールの回転を開始させ、複数の役のいずれかに当選か又はハズレかの役抽選を行い、その抽選の結果及びストップスイッチの操作に基づいて回転リールの回転を停止させ、当選した役に係る図柄の組み合わせが揃ったか否かの判定を行い、その判定の結果に応じて所定の利益を遊技者に付与する又は付与しないことで１回の遊技が終了するようにした遊技機であって、
制御装置は、
遊技を進行させることができないフリーズ状態を、所定時間（以下、「フリーズ時間」とする）、実行するフリーズ制御手段と、
フリーズ時間中のスイッチの操作に基づいて、回転リールの回転を用いて行う複数の回胴演出のうちから、１つの回胴演出を選択して実行する回胴演出選択実行手段と、
回胴演出選択実行手段が実行した回胴演出の態様に基づいて、遊技者に所定の特典を付与する特典付与手段とを備え、
特典付与手段は、
遊技者への利益付与の大きさが異なる複数の特典と、回胴演出の複数の態様とを対応させるとともに、
遊技者への利益付与の大きさが異なる複数の特典のうちから、実行された回胴演出の態様に対応させた特典を、遊技者に付与するように形成され、
回胴演出選択実行手段は、フリーズ時間中のスイッチ操作が無ければ、回胴演出を選択せず、
フリーズ時間中のスイッチ操作が無くて回胴演出が選択されずに回胴演出が行われない場合、特典付与手段は、スイッチ操作があったときに付与される複数の特典における遊技者への利益から算出される平均の利益を付与するように形成され、
フリーズ時間中に遊技者によるスイッチの操作が行われると、回胴演出選択実行手段により必ずいずれかの回胴演出が実行されるとともに特典付与手段により必ず回胴演出の態様に対応させた特典が遊技者に付与されることを特徴とする遊技機。
【請求項２】
周囲に複数の図柄が付された複数の回転リールと、
回転リールの回転を開始させるためのスタートスイッチと、
回転リールの回転を停止させるためのストップスイッチと、
予め貯留した遊技媒体の内部投入が可能なベットスイッチと、
遊技を制御する制御装置とを備え、
遊技媒体の直接投入又は内部投入により遊技の開始を可能とし、スタートスイッチの操作を条件として回転リールの回転を開始させ、複数の役のいずれかに当選か又はハズレかの役抽選を行い、その抽選の結果及びストップスイッチの操作に基づいて回転リールの回転を停止させ、当選した役に係る図柄の組み合わせが揃ったか否かの判定を行い、その判定の結果に応じて所定の利益を遊技者に付与する又は付与しないことで１回の遊技が終了するようにした遊技機であって、
制御装置は、
遊技を進行させることができないフリーズ状態を、所定時間（以下、「フリーズ時間」とする）、実行するフリーズ制御手段と、
フリーズ時間中のスイッチの操作に基づいて、回転リールの回転を用いて行う複数の回胴演出のうちから、１つの回胴演出を選択して実行する回胴演出選択実行手段と、
回胴演出選択実行手段が実行した回胴演出の態様に基づいて、遊技者に所定の特典を付与する特典付与手段とを備え、
特典付与手段は、
遊技者への利益付与の大きさが異なる複数の特典と、回胴演出の複数の態様とを対応させるとともに、
遊技者への利益付与の大きさが異なる複数の特典のうちから、実行された回胴演出の態様に対応させた特典を、遊技者に付与するように形成され、
回胴演出選択実行手段は、フリーズ時間中のスイッチ操作が無ければ、回胴演出を選択せず、
フリーズ時間中のスイッチ操作が無くて回胴演出が選択されずに回胴演出が行われない場合、特典付与手段は、スイッチ操作があったときに付与される複数の特典のうちから、いずれかを選択したものを付与するように形成され、
フリーズ時間中に遊技者によるスイッチの操作が行われると、回胴演出選択実行手段により必ずいずれかの回胴演出が実行されるとともに特典付与手段により必ず回胴演出の態様に対応させた特典が遊技者に付与されることを特徴とする遊技機。
【請求項３】
周囲に複数の図柄が付された複数の回転リールと、
回転リールの回転を開始させるためのスタートスイッチと、
回転リールの回転を停止させるためのストップスイッチと、
予め貯留した遊技媒体の内部投入が可能なベットスイッチと、
遊技を制御する制御装置とを備え、
遊技媒体の直接投入又は内部投入により遊技の開始を可能とし、スタートスイッチの操作を条件として回転リールの回転を開始させ、複数の役のいずれかに当選か又はハズレかの役抽選を行い、その抽選の結果及びストップスイッチの操作に基づいて回転リールの回転を停止させ、当選した役に係る図柄の組み合わせが揃ったか否かの判定を行い、その判定の結果に応じて所定の利益を遊技者に付与する又は付与しないことで１回の遊技が終了するようにした遊技機であって、
制御装置は、
遊技を進行させることができないフリーズ状態を、所定時間（以下、「フリーズ時間」とする）、実行するフリーズ制御手段と、
フリーズ時間中のスイッチの操作に基づいて、演出態様の異なる複数の演出のうちから、１つの演出を選択して実行する演出選択実行手段と、
演出選択実行手段が実行した演出の態様に基づいて、遊技者に所定の特典を付与する特典付与手段とを備え、
特典付与手段は、
遊技者への利益付与の大きさが異なる複数の特典と、演出の複数の態様とを対応させるとともに、
遊技者への利益付与の大きさが異なる複数の特典のうちから、実行された演出の態様に対応させた１つの特典を、遊技者に付与するように形成され、
演出選択実行手段は、フリーズ時間中のスイッチ操作が無ければ、演出を選択せず、
フリーズ時間中のスイッチ操作が無くて演出が選択されずに演出が行われない場合、特典付与手段は、スイッチ操作があったときに付与される複数の特典における遊技者への利益から算出される平均の利益を付与するように形成され、
フリーズ時間中に遊技者によるスイッチの操作が行われると、演出選択実行手段により必ずいずれかの演出が実行されるとともに特典付与手段により必ず演出の態様に対応させた特典が遊技者に付与されることを特徴とする遊技機。
【請求項４】
周囲に複数の図柄が付された複数の回転リールと、
回転リールの回転を開始させるためのスタートスイッチと、
回転リールの回転を停止させるためのストップスイッチと、
予め貯留した遊技媒体の内部投入が可能なベットスイッチと、
遊技を制御する制御装置とを備え、
遊技媒体の直接投入又は内部投入により遊技の開始を可能とし、スタートスイッチの操作を条件として回転リールの回転を開始させ、複数の役のいずれかに当選か又はハズレかの役抽選を行い、その抽選の結果及びストップスイッチの操作に基づいて回転リールの回転を停止させ、当選した役に係る図柄の組み合わせが揃ったか否かの判定を行い、その判定の結果に応じて所定の利益を遊技者に付与する又は付与しないことで１回の遊技が終了するようにした遊技機であって、
制御装置は、
遊技を進行させることができないフリーズ状態を、所定時間（以下、「フリーズ時間」とする）、実行するフリーズ制御手段と、
フリーズ時間中のスイッチの操作に基づいて、演出態様の異なる複数の演出のうちから、１つの演出を選択して実行する演出選択実行手段と、
演出選択実行手段が実行した演出の態様に基づいて、遊技者に所定の特典を付与する特典付与手段とを備え、
特典付与手段は、
遊技者への利益付与の大きさが異なる複数の特典と、演出の複数の態様とを対応させるとともに、
遊技者への利益付与の大きさが異なる複数の特典のうちから、実行された演出の態様に対応させた１つの特典を、遊技者に付与するように形成され、
演出選択実行手段は、フリーズ時間中のスイッチ操作が無ければ、演出を選択せず、
フリーズ時間中のスイッチ操作が無くて演出が選択されずに演出が行われない場合、特典付与手段は、スイッチ操作があったときに付与される複数の特典のうちから、いずれかを選択したものを付与するように形成され、
フリーズ時間中に遊技者によるスイッチの操作が行われると、演出選択実行手段により必ずいずれかの演出が実行されるとともに特典付与手段により必ず演出の態様に対応させた特典が遊技者に付与されることを特徴とする遊技機。
【発明の詳細な説明】
【技術分野】
【０００１】
この発明は、フリーズ中の遊技進行とは関係ないスイッチ操作により特典を付与可能な遊技機に関する。
【背景技術】
【０００２】
従来、この種の遊技機としては、複数の回転リールを回転させた後、ストップスイッチにより停止させる遊技を行う、例えば、スロットマシンが一般に知られている。そして、そのような遊技機では、遊技の興趣を高めるべく、液晶表示装置や、多数のランプや、スピーカ等の報知手段を介して、抽選の結果に対応して、また、当選図柄が停止表示した場合等に、画像や音や光等による種々の演出が行われている。また、遊技者に報知する手段として、遊技を進行させることができないフリーズ状態を発生させるものがある。具体的には、例えば、スタートスイッチを操作しても回転リールの回転を開始させず、その間、液晶表示装置等に所定の演出等を表示させるようなものである。そして、そのフリーズ状態の間、遊技者はなにもせずに待つだけで面白みに欠けるため、近年、遊技進行に関係ない操作スイッチを操作又は連打させて、その操作や、連打回数等により、報知態様や遊技状態等を変化させ、或いは所定の特典を付与する等の遊技者参加型のフリーズ演出を取り入れるものがある（例えば、特許文献１。）。
【０００３】
また、そのような遊技者参加型のスイッチ操作を行わせるものにおいて、遊技者の操作回数やタイミングによって、人形やキャラクターの全部又は一部を可動させるものがある（例えば、特許文献２。）。
【先行技術文献】
【特許文献】
【０００４】
【特許文献１】特開２００９−２８５１７３号公報
【特許文献２】特開２００９−７７８９３号公報
【発明の概要】
【発明が解決しようとする課題】
【０００５】
しかし、上記した従来の所定の操作スイッチを連打させる等の遊技者参加型の遊技を有するもので、そのような遊技者参加タイプのスイッチ操作を実施しても、将来与えられるかもしれない遊技者への利益の量が全く示唆されず、演出等に何ら変化がないような場合には、かかる遊技者参加におけるスイッチ連打の意味に疑問や不信感を抱きながら実施することになり、面白みに欠けるという問題点があった。
そこで、本発明は、フリーズ時間中のスイッチの操作に基づいて、回胴演出を実行して、視覚的効果を向上させるとともに、特典獲得の期待感を高揚させて、遊技の趣向を向上させることを目的とするものである。
【課題を解決するための手段】
【０００６】
（請求項１）
請求項１記載の発明に係る遊技機(10)は、周囲に複数の図柄(61)が付された複数の回転リール(40)と、回転リール(40)の回転を開始させるためのスタートスイッチ(30)と、回転リール(40)の回転を停止させるためのストップスイッチ(50)と、予め貯留した遊技媒体の内部投入が可能なベットスイッチ(16)と、遊技を制御する制御装置(20)とを備えている。
そして、遊技媒体の直接投入又は内部投入により遊技の開始を可能とし、スタートスイッチ(30)の操作を条件として回転リール(40)の回転を開始させ、複数の役のいずれかに当選か又はハズレかの役抽選を行い、その抽選の結果及びストップスイッチ(50)の操作に基づいて回転リール(40)の回転を停止させ、当選した役に係る図柄(61)の組み合わせが揃ったか否かの判定を行い、その判定の結果に応じて所定の利益を遊技者に付与する又は付与しないことで１回の遊技が終了するようにした遊技機(10)である。
【０００７】
そして、制御装置(20)は、遊技を進行させることができないフリーズ状態を、所定時間（以下、「フリーズ時間」とする）、実行するフリーズ制御手段(200)と、フリーズ時間中のスイッチの操作に基づいて、回転リール(40)の回転を用いて行う複数の回胴演出のうちから、１つの回胴演出を選択して実行する回胴演出選択実行手段(250)と、回胴演出選択実行手段(250)が実行した回胴演出の態様に基づいて、遊技者に所定の特典を付与する特典付与手段(270)とを備えている。
そして、特典付与手段(270)は、遊技者への利益付与の大きさが異なる複数の特典と、回胴演出の複数の態様とを対応させるとともに、遊技者への利益付与の大きさが異なる複数の特典のうちから、実行された回胴演出の態様に対応させた特典を、遊技者に付与するように形成されている。
【０００８】
回胴演出選択実行手段(250)は、フリーズ時間中のスイッチ操作が無ければ、回胴演出を選択せず、フリーズ時間中のスイッチ操作が無くて回胴演出が選択されずに回胴演出が行われない場合、特典付与手段(270)は、スイッチ操作があったときに付与される複数の特典における遊技者への利益から算出される平均の利益を付与するように形成されている。
フリーズ時間中に遊技者によるスイッチの操作が行われると、回胴演出選択実行手段(250)により必ずいずれかの回胴演出が実行されるとともに特典付与手段(270)により必ず回胴演出の態様に対応させた特典が遊技者に付与されることを特徴とする。
【０００９】
（請求項２）
請求項２記載の発明に係る遊技機(10)は、周囲に複数の図柄(61)が付された複数の回転リール(40)と、回転リール(40)の回転を開始させるためのスタートスイッチ(30)と、回転リール(40)の回転を停止させるためのストップスイッチ(50)と、予め貯留した遊技媒体の内部投入が可能なベットスイッチ(16)と、遊技を制御する制御装置(20)とを備え、遊技媒体の直接投入又は内部投入により遊技の開始を可能とし、スタートスイッチ(30)の操作を条件として回転リール(40)の回転を開始させ、複数の役のいずれかに当選か又はハズレかの役抽選を行い、その抽選の結果及びストップスイッチ(50)の操作に基づいて回転リール(40)の回転を停止させ、当選した役に係る図柄(61)の組み合わせが揃ったか否かの判定を行い、その判定の結果に応じて所定の利益を遊技者に付与する又は付与しないことで１回の遊技が終了するようにした遊技機(10)であって、制御装置(20)は、遊技を進行させることができないフリーズ状態を、所定時間（以下、「フリーズ時間」とする）、実行するフリーズ制御手段(200)と、フリーズ時間中のスイッチの操作に基づいて、回転リール(40)の回転を用いて行う複数の回胴演出のうちから、１つの回胴演出を選択して実行する回胴演出選択実行手段(250)と、回胴演出選択実行手段(250)が実行した回胴演出の態様に基づいて、遊技者に所定の特典を付与する特典付与手段(270)とを備え、特典付与手段(270)は、遊技者への利益付与の大きさが異なる複数の特典と、回胴演出の複数の態様とを対応させるとともに、遊技者への利益付与の大きさが異なる複数の特典のうちから、実行された回胴演出の態様に対応させた特典を、遊技者に付与するように形成され、回胴演出選択実行手段(250)は、フリーズ時間中のスイッチ操作が無ければ、回胴演出を選択せず、フリーズ時間中のスイッチ操作が無くて回胴演出が選択されずに回胴演出が行われない場合、特典付与手段(270)は、スイッチ操作があったときに付与される複数の特典のうちから、いずれかを選択したものを付与するように形成され、フリーズ時間中に遊技者によるスイッチの操作が行われると、回胴演出選択実行手段(250)により必ずいずれかの回胴演出が実行されるとともに特典付与手段(270)により必ず回胴演出の態様に対応させた特典が遊技者に付与されることを特徴とする。
【００１０】
（請求項３）
請求項３記載の発明に係る遊技機(10)は、周囲に複数の図柄(61)が付された複数の回転リール(40)と、回転リール(40)の回転を開始させるためのスタートスイッチ(30)と、回転リール(40)の回転を停止させるためのストップスイッチ(50)と、予め貯留した遊技媒体の内部投入が可能なベットスイッチ(16)と、遊技を制御する制御装置(20)とを備え、遊技媒体の直接投入又は内部投入により遊技の開始を可能とし、スタートスイッチ(30)の操作を条件として回転リール(40)の回転を開始させ、複数の役のいずれかに当選か又はハズレかの役抽選を行い、その抽選の結果及びストップスイッチ(50)の操作に基づいて回転リール(40)の回転を停止させ、当選した役に係る図柄(61)の組み合わせが揃ったか否かの判定を行い、その判定の結果に応じて所定の利益を遊技者に付与する又は付与しないことで１回の遊技が終了するようにした遊技機(10)であって、制御装置(20)は、遊技を進行させることができないフリーズ状態を、所定時間（以下、「フリーズ時間」とする）、実行するフリーズ制御手段(200)と、フリーズ時間中のスイッチの操作に基づいて、演出態様の異なる複数の演出のうちから、１つの演出を選択して実行する演出選択実行手段と、演出選択実行手段が実行した演出の態様に基づいて、遊技者に所定の特典を付与する特典付与手段(270)とを備え、特典付与手段(270)は、遊技者への利益付与の大きさが異なる複数の特典と、演出の複数の態様とを対応させるとともに、遊技者への利益付与の大きさが異なる複数の特典のうちから、実行された演出の態様に対応させた１つの特典を、遊技者に付与するように形成され、演出選択実行手段は、フリーズ時間中のスイッチ操作が無ければ、演出を選択せず、フリーズ時間中のスイッチ操作が無くて演出が選択されずに演出が行われない場合、特典付与手段(270)は、スイッチ操作があったときに付与される複数の特典における遊技者への利益から算出される平均の利益を付与するように形成され、フリーズ時間中に遊技者によるスイッチの操作が行われると、演出選択実行手段により必ずいずれかの演出が実行されるとともに特典付与手段(270)により必ず演出の態様に対応させた特典が遊技者に付与されることを特徴とする。
【００１１】
なお、ここで、演出選択実行手段は、上述した回胴演出選択実行手段(250)や、可動役物により演出を実行する可動役物演出実行手段を含むものであって、演出を実行するものが回胴（回転リール(40)）や、人形等の可動役物等に限定されないものである。
【００１２】
（請求項４）
請求項４記載の発明に係る遊技機(10)は、周囲に複数の図柄(61)が付された複数の回転リール(40)と、回転リール(40)の回転を開始させるためのスタートスイッチ(30)と、回転リール(40)の回転を停止させるためのストップスイッチ(50)と、予め貯留した遊技媒体の内部投入が可能なベットスイッチ(16)と、遊技を制御する制御装置(20)とを備え、遊技媒体の直接投入又は内部投入により遊技の開始を可能とし、スタートスイッチ(30)の操作を条件として回転リール(40)の回転を開始させ、複数の役のいずれかに当選か又はハズレかの役抽選を行い、その抽選の結果及びストップスイッチ(50)の操作に基づいて回転リール(40)の回転を停止させ、当選した役に係る図柄(61)の組み合わせが揃ったか否かの判定を行い、その判定の結果に応じて所定の利益を遊技者に付与する又は付与しないことで１回の遊技が終了するようにした遊技機(10)であって、制御装置(20)は、遊技を進行させることができないフリーズ状態を、所定時間（以下、「フリーズ時間」とする）、実行するフリーズ制御手段(200)と、フリーズ時間中のスイッチの操作に基づいて、演出態様の異なる複数の演出のうちから、１つの演出を選択して実行する演出選択実行手段と、演出選択実行手段が実行した演出の態様に基づいて、遊技者に所定の特典を付与する特典付与手段(270)とを備え、特典付与手段(270)は、遊技者への利益付与の大きさが異なる複数の特典と、演出の複数の態様とを対応させるとともに、遊技者への利益付与の大きさが異なる複数の特典のうちから、実行された演出の態様に対応させた１つの特典を、遊技者に付与するように形成され、演出選択実行手段は、フリーズ時間中のスイッチ操作が無ければ、演出を選択せず、フリーズ時間中のスイッチ操作が無くて演出が選択されずに演出が行われない場合、特典付与手段(270)は、スイッチ操作があったときに付与される複数の特典のうちから、いずれかを選択したものを付与するように形成され、フリーズ時間中に遊技者によるスイッチの操作が行われると、演出選択実行手段により必ずいずれかの演出が実行されるとともに特典付与手段(270)により必ず演出の態様に対応させた特典が遊技者に付与されることを特徴とする。
【００１３】
なお、ここで、演出選択実行手段は、上述した回胴演出選択実行手段(250)や、可動役物により演出を実行する可動役物演出実行手段を含むものであって、演出を実行するものが回胴（回転リール(40)）や、人形等の可動役物等に限定されないものである。
【発明の効果】
【００１４】
本発明は、以上のように構成されているので、以下に記載されるような効果を奏する。
（請求項１）
請求項１記載の発明によれば、遊技者によるフリーズ時間中のスイッチの操作に基づいて、複数の回胴演出のうちから１つの回胴演出が選択され、その回胴演出が実行される。このように、回胴演出の態様をフリーズ時間中のスイッチ操作に基づいて行うことができるため、フリーズ時間といえども、遊技に参加している感覚を得ることができるとともに視覚的効果を向上させることができる。そして、回胴演出の態様と、特典とが対応しているため、回胴演出の態様の相違によって、特典を類推することが可能となり、特典獲得の期待感を高揚させるとともに遊技の趣向を向上させることができる。
【００１５】
更に、スイッチ操作をしなくても、スイッチ操作をした場合に付与される特典から算出される平均の利益を得ることができ、スイッチ操作に参加したくない遊技者に対しても、特別に不利益となることがなく、かかる操作の有無に拘わらず遊技者間の公平を図ることができる。
【００１６】
（請求項２）
請求項２記載の発明によれば、遊技者によるフリーズ時間中のスイッチの操作に基づいて、複数の回胴演出のうちから１つの回胴演出が選択され、その回胴演出が実行される。このように、回胴演出の態様をフリーズ時間中のスイッチ操作に基づいて行うことができるため、フリーズ時間といえども、遊技に参加している感覚を得ることができるとともに視覚的効果を向上させることができる。そして、回胴演出の態様と、特典とが対応しているため、回胴演出の態様の相違によって、特典を類推することが可能となり、特典獲得の期待感を高揚させるとともに遊技の趣向を向上させることができる。
【００１７】
更に、スイッチ操作をしなくても、スイッチ操作をした場合に付与される特典のうちから、いずれかが選択したものを得ることができ、スイッチ操作に参加したくない遊技者に対しても、特別に不利益とならずに、かかる操作の有無に拘わらず遊技者間の公平を図ることが可能となる。
【００１８】
（請求項３）
請求項３記載の発明によれば、遊技者によるフリーズ時間中の遊技者参加型のスイッチの操作に基づいて、複数の演出のうちから１つの演出が選択される。これにより、かかるスイッチ操作により演出の態様を行うことができて、視覚的効果を向上させることができる。また、演出の態様と、特典とが対応しているため、演出の態様の相違によって、特典を類推することが可能となり、特典獲得の期待感を高揚させるとともに遊技の趣向を向上させることができる。
【００１９】
更に、スイッチ操作をしなくても、スイッチ操作をした場合に付与される特典から算出される平均の利益を得ることができ、スイッチ操作に参加したくない遊技者に対しても、特別に不利益となることがなく、かかる操作の有無に拘わらず遊技者間の公平を図ることができる。
（請求項４）
請求項４記載の発明によれば、遊技者によるフリーズ時間中の遊技者参加型のスイッチの操作に基づいて、複数の演出のうちから１つの演出が選択される。これにより、かかるスイッチ操作により演出の態様を行うことができて、視覚的効果を向上させることができる。また、演出の態様と、特典とが対応しているため、演出の態様の相違によって、特典を類推することが可能となり、特典獲得の期待感を高揚させるとともに遊技の趣向を向上させることができる。
【００２０】
更に、スイッチ操作をしなくても、スイッチ操作をした場合に付与される特典のうちから、いずれかが選択したものを得ることができ、スイッチ操作に参加したくない遊技者に対しても、特別に不利益とならずに、かかる操作の有無に拘わらず遊技者間の公平を図ることが可能となる。
【図面の簡単な説明】
【００２１】
【図１】本発明の第１の実施の形態であって、遊技機を示す外観正面図である。
【図２】本発明の第１の実施の形態であって、リールユニットの一部を示す外観斜視図である。
【図３】本発明の第１の実施の形態であって、リールユニットの一部を示す縦断面図である。
【図４】本発明の第１の実施の形態であって、遊技機の入力、制御及び出力を示すブロック図である。
【図５】本発明の第１の実施の形態であって、回転リールのリールテープの図柄の一部を示す概略図である。
【図６】本発明の第１の実施の形態であって、役の内容を示す概略図である。
【図７】本発明の第１の実施の形態であって、有効ラインを示す外観正面図である。
【図８】本発明の第１の実施の形態であって、有効ラインを示す外観正面図である。
【図９】本発明の第１の実施の形態であって、遊技のフローである。
【図１０】本発明の第１の実施の形態であって、フリーズ演出処理のフローである。
【図１１】本発明の第１の実施の形態であって、演出制御装置による特典付与処理のフローである。
【図１２】本発明の第２の実施の形態であって、演出制御装置による特典付与処理のフローである。
【図１３】本発明の第３の実施の形態であって、演出制御装置による特典付与処理のフローである。
【発明を実施するための形態】
【００２２】
（第１の実施の形態）
（遊技機10の概要）
本明細書において、「前面」は、遊技機において遊技を行う際に遊技者が向き合う面をいい、「背面」は、かかる遊技者から見た場合の「前面」の反対側の面であり、また、「左」や「右」等の左右方向も、かかる遊技機の前面の方を向いて位置している者から見た場合の左側や、右側を意味する。
図１は、本実施の形態に係る遊技機10としてのスロットマシンであって、正面に向かって開口する正面開口部を有する四角箱状の筐体11と、この筐体11の正面開口部を開閉自在に塞ぐ前扉14とを有する。前記前扉14は、正面開口部の上部を開閉自在に塞ぐ上扉3と、正面開口部の下部を開閉自在に塞ぐ下扉4とを備えている。
【００２３】
また、前扉14の上部には、上パネル12aを備え、前扉14の下部には、下パネル12bを備え、前扉14の前面における、上パネル12aと下パネル12bとの間には、前方へ向けて突出する操作部12cを備えている。
前記上扉3には、遊技者側に向かって臨む略四角窓状の上パネル12aが形成されている。そして、この上パネル12aの略中央には、三個の回転リール40の円周に貼付したリールテープ42上の図柄61、いわゆる停止図柄61を見ることができる図柄表示窓13が形成されている。この図柄表示窓13は、３個全ての回転リール40の回転が停止した際には、縦３列横３行に配置した合計９個の図柄を遊技者に見せるように形成されている。
【００２４】
前記図柄表示窓13の奥には、３個の駆動モータによって図柄表示手段としての回転リール40を回転させるためのリールユニット60が配置されてある。前記回転リール40は、左端側に位置する左リール43と、右端側に位置する右リール45と、この左リール43及び右リール45の間に位置する中リール44とからなる。
そして、遊技機10の前面側には、横方向や、斜め方向等に３個の回転リール40の各３個の所定図柄の停止位置を結んだ所定本数のラインが形成されている。本実施の形態では、ラインとして、上段の３個の図柄を通る上段ラインＬ１と、中段の３個の図柄を通る中段ラインＬ２と、下段の３個の図柄を通る下段ラインＬ３と、左下、中央、右上の３個の図柄を通る右上りラインＬ４と、左上、中央、右下の３個の図柄を通る右下りラインＬ５とが設けられている。
【００２５】
前記前扉14には、遊技者に役抽選の当選等を音や光や映像で報知させる報知手段66が形成されてあり、この報知手段66は、上下左右のスピーカー67と、上パネル12aの上部中央に配置された液晶表示装置68と、上パネル12aの周囲縁に配置された報知ランプ69とを備えている。
前記下扉4には、操作部12cの右側に位置してメダルを投入するためのメダル投入口18と、操作部12cの左側に位置して貯留メダル数を減じてメダル投入に代えるベットスイッチ16と、このベットスイッチ16の左側に位置してクレジットしたメダルを払い出すための精算スイッチ17と、操作部12cの左側に位置してメダルの投入若しくはベットスイッチ16の投入を条件に回転リール40の回転を開始させるための変動表示開始手段31としてのスタートスイッチ30と、操作部12cの略中央に位置して操作により対応する回転リール40の回転を停止させるための変動表示停止手段51としてのストップスイッチ50とを備えている。
【００２６】
なお、左リール43に対応するためのストップスイッチ50が左ストップスイッチ50aであり、中リール44に対応するためのストップスイッチ50が中ストップスイッチ50bであり、右リール45に対応するためのストップスイッチ50が右ストップスイッチ50cである。
なお、本遊技機10は、メダル投入口18からメダルを投入すると、最大で５０枚のメダルを遊技機10内部に貯留する（クレジットする）ことが可能に形成されている。そして、この貯留（クレジット）したメダルを、ベットスイッチ16の押下操作によって、遊技開始の条件としてのメダル投入に代えることができる。
前記下扉4の奥には、いわゆるホッパーユニットであって、メダルを貯留することができるとともに、メダルを払い出すことができる貯留払い出し手段65と、電源投入又は電源遮断のための操作が可能な電源スイッチ6を有すると共に各部品に電力を供給するための電源装置5とが配置されている。
【００２７】
そして、下扉4の下部には、所定の役の図柄が有効ライン上に表示された場合に、貯留払い出し手段65からメダルが払い出される払い出し口32が形成され、この払い出し口32の下方には、払い出し口32から払い出されたメダルを貯留するため、上方に向かって開口する皿状の払い出し皿33が形成されている。
本実施の形態に係る遊技機10は、原則として、ベットスイッチ16操作又はメダル投入後のスタートスイッチ30の押下により、回転リール40の回転を開始すると共に、役抽選を行い、各回転リール40のストップスイッチ50の押下タイミング及び役抽選の結果に基づいて、回転リール40の回転を役抽選の結果に適合するように停止させ、停止時の図柄の組み合わせによって、当選した役の所定図柄が有効ライン上に停止表示された場合に、所定枚数のメダルを払い出す等の所定の特典（利益）を遊技者に付与するスロットマシンである。
【００２８】
なお、この遊技機10は、ベットスイッチ16の操作又はメダル投入等による遊技媒体のベットにより、遊技を開始することが可能な状態、いわゆる遊技開始準備状態となる。そして、その遊技開始準備状態中のスタートスイッチ30の押下により、遊技が開始されると共に回転リール40の回転が開始される。そして、その後の回転リール40の停止表示後のメダル払い出し等の処理が終了することで、１回の遊技が終了するように形成されている。なお、この遊技が終了してから、次の遊技に関する遊技媒体のベットまでの間は、いわゆる遊技間（ゲーム間）の状態である。
（リールユニット60）
前記リールユニット60は、図２及び図３に示すように、横並びに設けた３個の回転リール40と、各回転リール40を回転させるためのものであって各回転リール40にそれぞれ対応している駆動モーターとしてのステッピングモータ64と、遊技制御装置21からのパルス信号が入力されることでステッピングモータ64を回転駆動させるためのモータードライバ62と、回転リール40の回転位置を検知するための回転位置検知装置46と、これらを支持する支持部材49とを備えている。
【００２９】
回転リール40は、２１個の図柄を周囲に均等に配列した筒状のものである。そして、各回転リール40は、合成樹脂からなる回転ドラムと、この回転ドラムの周囲に貼付されるとともに、複数個（２１個）の図柄61が表示されているテープ状のリールテープ42とを備えている。
前記回転位置検知装置46は、回転リール40の回転ドラムから横方向に突出している突出片状のインデックス47と、回転リール40の周囲の支持部材49から突出するとともにインデックス47の通過を光センサーの遮断によって検知するためのインデックスセンサ48とを備えている。
【００３０】
そして、駆動モーターによる回転を開始した後、前記インデックス47をインデックスセンサ48により検知してからの回転角度を認識することで、後述する回転位置判断手段161により現在位置を特定し、その後、所定角度で停止させることが可能となる。このインデックスセンサ48は、内部に光センサーを有するとともに、全体形状が、略コ字状であって、一端に発光素子（ＬＥＤ）が配置され、他端に受光素子（フォトトランジスタ）が配置され、そのコ字状の内部を、突出片状のインデックス47が移動することにより、発光素子からの光が遮断され、インデックス47が通過したタイミングを検知可能なものである。
前記モータードライバ62には、遊技制御装置21からの信号としてのパルス信号が入力されることにより、ステッピングモータ64を回転駆動させるように形成されている。
【００３１】
更に、具体的には、このステッピングモータ64は、５０４個のステップで、３６０度、すなわち１周するように設定されている。そして、モータドライバ62に１パルスの信号が入力されることにより、ステッピングモータ64が１ステップ角（具体的には、３６０／５０４度）だけ、回転するように設定されている。すなわち、５０４パルスの信号がモータドライバ62に入力されることにより、ステッピングモータ64は、３６０度、すなわち１回転するものである。回転リール40の周囲には、２１個の図柄が配置されているため、２４パルスの信号がモータドライバ62に入力されると、ステッピングモータ64は２４ステップ移動し、１図柄分だけ回転移動するように設定されている。
【００３２】
（制御装置20）
図４に示すように、遊技機10の内部には、遊技機10の全体の動作を制御するための制御装置20が形成されている。前記制御装置20は、図示しないが、ＣＰＵを中心に構成され、ＲＯＭ、ＲＡＭを備えている。そして、ＲＯＭに記憶されたデータやプログラムを、ＲＡＭが読み込むことで、動作可能に形成されている。
前記制御装置20の入力段には、上述したベットスイッチ16、スタートスイッチ30、ストップスイッチ50及び精算スイッチ17が接続され、出力段には、上述した貯留払い出し手段65、リールユニット60及び報知手段66が接続されている。
【００３３】
前記制御装置20は、遊技を進行させて遊技状態を制御する遊技制御装置21（主基板23）と、この遊技制御装置21からの信号を受けて、遊技の演出を行うために演出状態を制御する演出制御装置22（サブ基板24）とを備えている。ここで、遊技制御装置21と演出制御装置22との間における信号の送受信は、遊技制御装置21における役抽選に関するデータ等の内部データの信頼性を担保すべく、一方通行となるように形成されている。すなわち、遊技制御装置21から演出制御装置22に向かってのみ信号が出力され、演出制御装置22から遊技制御装置21に向かっていかなる信号も出力されないように形成されている。
（遊技制御装置21）
前記遊技制御装置21は、スタートスイッチ30の遊技者による操作により、乱数抽選を行い、ストップスイッチ50の操作により、その抽選の結果を反映させた回転リール40の回転及び停止を制御するためのものである。
【００３４】
前記遊技制御装置21は、遊技制御手段27と、役抽選手段110と、フリーズ演出抽選手段120と、回転制御手段280と、ウェイト制御手段190と、停止制御手段130と、停止図柄判定手段140と、計時手段150と、回転位置判断手段161と、フリーズ制御手段200と、回胴演出選択実行手段250とを備えている。
なお、本スロットマシンにより行う遊技は、一般的（通常）に行われる通常遊技と、ボーナス遊技と呼ばれて同一の遊技回数を基準として遊技期間で比較した場合に、この通常遊技よりも遊技者に大きな利益を付与可能な特別遊技とを備えている。この特別遊技は、通常遊技中に予め定めた所定の役の図柄を有効ライン上に表示させたことにより移行すると共に通常遊技よりも単位時間あたりの獲得可能なメダル数が多くなることが可能に形成されている。この特別遊技は、具体的には、所定枚数までのメダルの獲得が可能なＢＢ遊技（ビッグボーナス遊技）やＲＢ遊技（レギュラーボーナス遊技）を備えている。
【００３５】
ここで、「役」とは、原則として図柄の組み合わせにより構成されるもので、予め定めた図柄の組み合わせを意味するものであって、例えば、左、中、右の回転リール40の停止図柄が、それぞれ７、７、７のように、通常、回転リールに表示される図柄を、３つ揃えた形が基本形となる。但し、チェリーのように、３つ揃わなくとも、例えば、左リール43のように特定の回転リールにチェリー図柄が停止して、残りの２つの回転リール40にはいずれの図柄でもよい役もある。なお、役の構成は、遊技機10の前面側（図示せず）に表示されている。
そして、前記通常遊技制御手段70は、通常遊技を行わせるために通常遊技に関する制御を行うものであり、前記特別遊技制御手段80は、特別遊技を行わせるために特別遊技に関する制御を行う。
【００３６】
（演出制御装置22）
演出制御装置22は、主として、当該遊技機10の演出全般を制御するものであって、有利遊技制御手段220と、演出データ記憶手段230と、演出制御手段240と、特典付与手段270とを備えている。
（通常遊技制御手段70）
通常遊技制御手段70は、通常遊技を制御するものである。
以下、遊技機10における通常遊技について説明する。１回の遊技につき、遊技媒体としてのメダルを３枚ベットすることが可能である。３枚のメダルをベットすると、５本全てのラインが有効になる。なお、３枚投入だけしか有効にならない３枚専用機とすることもできる。そして、有効になったラインを、以下、「有効ライン」と称する。また、メダルのベットには、メダル投入口18からメダルを投入することによるベットと、ベットスイッチ16を操作することによるクレジットされているメダルのベットとがある。また、再遊技のときには、前回の遊技でベットした枚数と同数のメダルが自動的にベットされる。また、３枚のメダルのベットを条件に、遊技を開始することが可能となり、スタートスイッチ30を操作すると、複数の役のいずれかに当選か又はハズレかの役抽選が行われるとともに、３個すべての回転リール40の回転が開始する。その後、３個すべての回転リール40の回転が所定の定常回転速度になって定常回転するようになると、３個すべてのストップスイッチ50が有効になり、ストップスイッチ50の操作が有効になる。そして、３個のストップスイッチ50のうちの１個を操作すると、当該ストップスイッチ50に対応した回転リール40の回転が停止する。そして、３個すべてのストップスイッチ50の操作を終えると、３個すべての回転リール40の回転が停止する。このとき、いずれかの有効ライン上に、役抽選で当選した役に対応する図柄の組み合わせが停止表示されると、当該役に応じた枚数のメダルを獲得できる。また、獲得したメダルは、クレジットされ、クレジット数が上限値に達したときには、貯留払い出し手段65が駆動して、上限値を超えた分が払い出し口32から払い出される。また、メダルの獲得に代えて、あるいはメダルの獲得とともに、遊技者に対して所定の利益が付与されることもある。
【００３７】
ここで、役には、有効ライン上に所定の図柄の組み合わせが停止表示されることにより、メダルが払い出される小役と、有効ライン上に所定の図柄の組み合わせが停止表示されることにより、メダルの払い出しはないがメダルを新たに投入することなく前回の遊技と同じ条件で再度遊技を行うことができるリプレイ役と、有効ライン上に所定の図柄の組み合わせが停止表示されることにより、メダルの払い出しはないが特別遊技へ移行するボーナス役とがある。
具体的には、図６に示すように、小役には、プラム役と、ベル役と、チェリー役と、有利遊技移行役と、いわゆる３択役（３択青７役、３択役白７役、３択役赤７役）とがある。例えば、プラム役、ベル役、及びチェリー役のうちプラム役は、「プラム」「プラム」「プラム」の図柄の組み合わせにより構成され、また、例えば、チェリー役は、「チェリー」「ＡＮＹ」「ＡＮＹ」（「ＡＮＹ」は、いずれの図柄であってもよいことを意味する。）の図柄の組み合わせにより構成される。そして、役を構成する図柄の組み合わせがいずれかの有効ライン上に停止表示されることにより、当該役に応じた所定枚数のメダルが払い出される。例えば、「ベル」「ベル」「ベル」の図柄の組み合わせがいずれかの有効ライン上に停止表示されることにより、ベル役に応じた所定枚数（例えば５枚）のメダルが払い出される。
【００３８】
また、有利遊技移行役は、後述する役抽選手段110による役抽選により当該役に当選することで、後述する有利遊技へ移行することが決定されるとともに、有効ライン上に所定の図柄の組み合わせが停止表示されることにより、メダルが払い出されるものである。有利遊技移行役は、図６に示すように、「７」「リプレイ」「リプレイ」の図柄の組み合わせにより構成される。そして、役抽選手段110による役抽選により当該役に当選することで、有利遊技へ移行することが決定されるとともに、有効ライン上にこの図柄の組み合わせが停止表示されることにより、所定枚数（例えば９枚）のメダルが払い出される。なお、有利遊技移行役は、後述するビッグボーナスゲーム中においてのみ抽選される役である。
【００３９】
また、再遊技役は、図６に示すように、「リプレイ」「リプレイ」「リプレイ」の図柄の組み合わせにより構成される。そして、いずれかの有効ライン上にこの図柄の組み合わせが停止表示されることにより、メダルを新たに投入することなく前回の遊技と同じ条件で再度遊技を行うことができる。
また、図６に示すように、ボーナス役には、ＢＢ役と、ＲＢ役とがある。ＢＢ役は、「赤７」「赤７」「赤７」の図柄の組み合わせにより構成される。そして、有効ライン上にこの図柄の組み合わせが停止表示されることにより、後述するビッグボーナスゲームへ移行する。また、ＲＢ役は、「ＢＡＲ」「ＢＡＲ」「ＢＡＲ」の図柄の組み合わせにより構成される。そして、有効ライン上にこの図柄の組み合わせが停止表示されることにより、後述するレギュラーボーナスゲームへ移行する。
【００４０】
なお、本実施の形態では、ボーナス役は、メダルの払い出しを行うことなく、特別遊技へ移行するようになっているが、所定枚数（例えば１５枚）のメダルを払い出した後に、特別遊技へ移行するように設定してもよい。
（特別遊技制御手段80）
特別遊技とは、遊技者にとって通常遊技よりも有利な遊技をいい、特別遊技制御手段80は、特別遊技を制御するものである。
特別遊技としては、ビッグボーナスゲーム（ＢＢゲーム）と、レギュラーボーナスゲーム（ＲＢゲーム）とがある。ＢＢゲームとは、所定の役の当選確率が通常遊技よりも高い遊技を複数回実行可能な遊技であって、所定枚数（例えば３６９枚）のメダルの払い出しにより終了する遊技である。また、ＲＢゲームとは、ＢＢゲームと同じく、所定の役の当選確率が通常遊技よりも高い遊技を複数回実行可能な遊技であって、ＢＢゲームよりも少ない所定枚数（例えば９９枚）のメダルの払い出しにより終了する遊技である。
【００４１】
また、本実施の形態では、特別遊技制御手段80は、特別遊技（ＢＢゲーム及びＲＢゲーム）中のメダルの払い出し枚数をカウントする払出枚数カウンタを有している。
具体的には、通常遊技において、役抽選によりＢＢ役に当選すると、いずれかの有効ライン上に、ＢＢ役に対応する「赤７」「赤７」「赤７」の図柄の組み合わせが当選した役に応じて揃い得るようになり、「赤７」「赤７」「赤７」の図柄の組み合わせが揃い、停止表示されると、ＢＢゲームへ移行する。
ＢＢゲームへ移行すると、役抽選で所定の役に当選する確率が通常遊技中よりも高くなるとともに、２枚のメダルのベットにより遊技が開始可能となり、図８に示すように、有効ラインが中段ラインのみとなる。そして、有効ライン上に、当選した役に対応する図柄の組み合わせが停止表示されると、当該役に応じた所定枚数のメダルが払い出されるとともに、払出枚数カウンタにより払い出されたメダルの枚数がカウントされる。
【００４２】
そして、ＢＢゲーム中のメダルの累計払い出し枚数が所定枚数（例えば３６９枚）に達すると、ＢＢゲームは終了して、通常遊技または後述する有利遊技へ移行する。
また、通常遊技において、役抽選によりＲＢ役に当選すると、いずれかの有効ライン上に、ＲＢ役に対応する「ＢＡＲ」「ＢＡＲ」「ＢＡＲ」の図柄の組み合わせが揃い得るようになり、「ＢＡＲ」「ＢＡＲ」「ＢＡＲ」の図柄の組み合わせが揃い、停止表示されると、ＲＢゲームへ移行する。
ＲＢゲームへ移行すると、ＢＢゲームと同様の遊技が行われる。そして、有効ライン上に、当選した役に対応する図柄の組み合わせが停止表示されると、当該役に応じた所定枚数のメダルが払い出されるとともに、払出枚数カウンタにより払い出されたメダルの枚数がカウントされる。
【００４３】
そして、ＲＢゲーム中のメダルの累計払い出し枚数が所定枚数（例えば９９枚）に達すると、ＲＢゲームは終了して、通常遊技へ移行する。
なお、本実施の形態では、特別遊技（ＢＢゲーム及びＲＢゲーム）は、所定枚数のメダルの払い出しにより終了するものであるが、特別遊技の終了条件としては他の条件（例えば遊技回数）を設定することもできる。
また、払出枚数カウンタによるカウントは、カウントアップによる方法でもカウントダウンによる方法でもよい。
（役抽選手段110）
役抽選手段110は、スタートスイッチ30の操作を契機に、複数の役のいずれかに当選か又はハズレかの役抽選を行うものである。役抽選手段110は、乱数発生手段と、乱数抽出手段と、役抽選テーブルと、判定手段とを備えている。
【００４４】
乱数発生手段は、役抽選用の乱数を、所定の範囲内（例えば、１０進数で０〜６５５３５）で発生させるものである。また、乱数抽出手段は、乱数発生手段が発生させた乱数を、所定の契機（例えば、スタートスイッチ30の操作）で抽出するものである。なお、乱数発生手段は、カウンタ回路などによって構成されるため、乱数発生手段が発生させる数値は、厳密には乱数ではない。ただ、スタートスイッチ30が操作されるタイミングは、ランダムであると考えられるため、乱数抽出手段が抽出する数値は、実質的には乱数として取り扱うことができる。
また、役抽選テーブルは、乱数発生手段が発生させる範囲内の各乱数について、複数の役のいずれかに当選か又はハズレかをあらかじめ定めたものである。本実施の形態では、役抽選テーブルには、通常遊技および後述する有利遊技において用いられる一般役抽選テーブルと、ＢＢゲームおよびＲＢゲームにおいて用いられる特別役抽選テーブルとがある。それらの抽選テーブルには、当選の領域と、ハズレの領域とが設定されている。なお、当選の領域としては、１つの役にのみ当選する単独当選領域の他に、複数の役に同時に当選する重複当選領域を設定することもできる。（なお、かかる重複当選領域を設定するような場合には、役抽選手段110による役抽選で、複数の役に重複当選すると、当選した複数の役それぞれに対応する当選フラグが成立する。そして、このフラグの成立中に、いずれかの有効ライン上に、役抽選で当選した役に対応する図柄の組み合わせが停止表示されると、遊技者に対して、メダルの払い出しや、特別遊技等の利益が付与される。）
また、判定手段は、乱数抽出手段が抽出した乱数と、役抽選テーブルとを照合して、複数の役のいずれかに当選か又はハズレかの判定を行うものである。具体的には、判定手段は、複数の役のいずれかに当選か又はハズレかの判定を行う際に、その時点における遊技状態に対応する役抽選テーブルを適宜用いて、当該判定を行うものとなっている。
【００４５】
そして、役抽選手段110による役抽選で、いずれかの役に当選すると、当選した役に対応する当選フラグが成立する。
ここで、当選フラグには、役抽選手段110による抽選の結果が、小役の当選である場合に成立する小役当選フラグ（プラム当選フラグ、ベル当選フラグ、チェリー当選フラグ、有利遊技移行当選フラグ、３択役青７当選フラグ、３択役白７当選フラグ及び３択役赤７当選フラグ）と、役抽選手段110による抽選の結果が、再遊技役の当選である場合に成立する再遊技当選フラグと、役抽選手段110による抽選の結果が、ボーナス役の当選である場合に成立するボーナス当選フラグ（ＢＢ当選フラグ及びＲＢ当選フラグ）とがある。
【００４６】
そして、小役当選フラグ、及び再遊技当選フラグは、成立した遊技においてのみ有効となるものの、ボーナス当選フラグは、次の遊技へ持ち越すことができるものとなっており、当選したボーナス役に対応する図柄の組み合わせがいずれかの有効ライン上に停止表示されることにより消去されるものとなっている。
（フリーズ演出抽選手段120）
フリーズ演出抽選手段120は、スタートスイッチ30の操作を契機に、演出を実行する場合には、後述する演出の種別１及び種別２のうち、いずれの演出内容を実施するかを抽選により選択する。フリーズ演出抽選手段120は、乱数発生手段と、乱数抽出手段と、フリーズ演出抽選テーブルと、判定手段とを備えている。乱数発生手段と、乱数抽出手段とは、役抽選手段110と同様のものである。フリーズ演出抽選テーブルは、乱数発生手段が発生させる範囲内の各乱数について、いずれの演出内容を実行するかを予め定めたものである。また、判定手段は、乱数抽出手段が抽出した乱数と、フリーズ演出抽選テーブルとを照合して、回胴演出として種別１及び種別２のいずれを実行するかの判定とを行うものである。
【００４７】
なお、フリーズ演出抽選手段120における種別１（回胴演出（大））と、種別２（回胴演出（小））とのフリーズ演出抽選テーブルに予め記憶している抽選確率は、それぞれ５０％となるように形成されている。
（回転制御手段280）
回転制御手段280は、スタートスイッチ30の操作を契機に、３個すべての回転リール40の回転を開始させるとともに、３個すべての回転リール40の回転駆動を制御するものである。具体的には、回転制御手段280は、スタートスイッチ30の操作を契機に、３個すべての回転リール40の回転を開始させて、その回転速度が所定の定常回転速度に達するまで加速処理を行う。そして、回転制御手段280は、回転リール40の回転速度が所定の定常回転速度に達したときには、回転リール40を所定の定常回転速度で定速回転させる定速処理を行う。
【００４８】
また、本実施の形態では、回転制御手段280は、後述するフリーズ制御手段200から遊技の進行の遅延を開始する旨の信号である遅延開始信号が入力された場合には、回転リール40の回転の開始処理及びその回転速度を加速させる加速処理の開始を一旦保留する。そして、回転制御手段280は、フリーズ制御手段200から遊技の進行の遅延を終了する旨の信号である遅延終了信号が入力されたことを契機に、加速処理を開始する。
具体的には、回転制御手段280は、加速処理を開始する際に、回転を停止している回転リール40に対しては、回転を開始させて加速処理を行い、その後、所定の定常回転速度に維持する定速処理を行う。なお、定常回転速度が、それ以前の回転速度よりも低いような設定になっているような場合には、その回転速度が所定の定常回転速度に達するまでの速度減少処理を行うことになる。
【００４９】
また、本実施の形態では、回転リール40を所定の定常回転速度で回転させるための移行処理、いわゆる定常回転処理（速度調整処理）が終了してから、ストップスイッチ50の操作が有効となるように形成されている。
（ウェイト制御手段190）
ウェイト制御手段190は、１回の遊技における遊技時間が、予め定められた所定時間（以下、「ウェイト時間」と称す。）以下とならないように制御するものである。本実施の形態では、ウェイト時間は、４．１秒に設定されている。また、本実施の形態では、ウェイト制御手段190は、計時手段150によりウェイト時間を計時している。具体的には、ウェイト制御手段190は、一の遊技において、回転制御手段280により回転リール40の回転が開始されたことを契機に、計時手段150に計時を開始させる。そして、次の遊技において、回転制御手段280により回転リール40の回転が開始されたことを契機に、計時手段150による計時をリセットして再度計時を開始させる。そして、それ以降の遊技においても同様に、毎遊技、回転制御手段280により回転リール40の回転が開始されたことを契機に、計時手段150による計時をリセットして再度計時を開始させる。
【００５０】
そして、ウェイト制御手段190は、遊技の開始に係るスタートスイッチ30が操作された際における、計時手段150により計時される計時時間が４．１秒以下であった場合には、回転制御手段280による、３個すべての回転リール40の回転を開始させる処理の開始を一旦保留し、計時時間が４．１秒経過した後に、保留した回転制御手段280による当該処理を開始させる。
（停止制御手段130）
停止制御手段130は、役抽選手段110の抽選の結果と、各ストップスイッチ50が操作された際における対応する回転リール40の回転位置とに基づいて、各回転リール40の回転を停止させるものである。
【００５１】
具体的には、停止制御手段130は、各ストップスイッチ50が操作された際における対応する回転リール40の回転位置を、対応するインデックスが検知されてから対応するストップスイッチ50が操作されるまでの間における対応するステッピングモータ64のステップ数で特定しつつ、ストップスイッチ50が操作された時点で、有効ライン上に直ちに停止できる図柄（すなわち、回転リール40の回転位置）を基準として、この図柄から回転方向に予め定められた個数（最大スベリコマ数、例えば４コマ）移動した図柄までの範囲内で、対応する回転リール40を停止させるように形成されている。
そして、停止制御手段130は、役抽選手段110の抽選の結果がいずれかの役に当選の場合には、各回転リール40の回転を停止させるに際し、当選した役に対応する図柄の組み合わせが、いずれかの有効ライン上に極力揃うように、かつ、当選した役以外の役に対応する図柄の組み合わせについては、いずれの有効ライン上にも揃わないように、引き込み制御及び蹴飛ばし制御を行い、一方、役抽選手段110の抽選の結果がハズレの場合には、各回転リール40の回転を停止させるに際し、いずれの有効ライン上にも、いずれの役に対応する図柄の組み合わせも揃わないように、蹴飛ばし制御を行う。
【００５２】
また、本実施の形態では、原則として、単独の当選フラグが別個独立に成立するものであるが、複数の当選フラグを同時に成立（重複当選）させるようにしてもよい。このような場合に、停止制御手段130は、引き込み制御において、当選した複数の役のうちいずれの役を優先して引き込むかを予め設定している。具体的には、停止制御手段130は、引き込み優先順位を、「再遊技役」＞「ボーナス役」＞「小役」に設定している。なお、その引き込み優先順位を、「再遊技役」＞「小役」＞「ボーナス役」の順に設定してもよい。
また、本実施の形態では、停止制御手段130は、図柄の停止位置を予め定めた停止テーブルを備え、上記した引き込み制御及び蹴飛ばし制御を、この停止テーブルを用いて行う。
【００５３】
具体的には、停止制御手段130は、１つのフラグ状態ごとに１つの停止テーブルを備えている。ここで、フラグ状態とは、例えばプラム当選フラグが成立している状態や、ベル当選フラグが成立している状態などである。
そして、例えば、プラム当選フラグが成立している状態において用いられる停止テーブルである「プラム当選テーブル」には、プラム役に対応する図柄の組み合わせが、有効ライン上に優先して揃い得るように、かつ、プラム役以外の役に対応する図柄の組み合わせについては、有効ライン上に揃わないように設定されている。
なお、停止制御手段130は、１つのフラグ状態および遊技状態ごとに、１つの停止テーブルを備えるようにしてもよい。なお、ここで、遊技状態とは、通常遊技であって、ボーナス当選フラグが成立している状態（内部当選状態）や、通常遊技であって、ボーナス当選フラグが成立していない状態（内部非当選状態）や、ＲＢゲームなどである。
【００５４】
また、停止制御手段130は、引き込み制御及び蹴飛ばし制御を、所定の図柄を停止させるか否かを判断しながら制御を行うプログラム制御により行うようにしてもよい。
（停止図柄判定手段140）
停止図柄判定手段140は、すべての回転リール40の回転が停止した際に、いずれかの役に対応する図柄の組み合わせがいずれかの有効ライン上に停止表示されているか否かを判定し、この判定結果に基づいた制御を行うものである。すなわち、所定の役を構成する図柄の組み合わせが停止表示された場合に、この停止表示された役に応じた信号を出力するように形成されている。
【００５５】
具体的には、停止図柄判定手段140は、各制御手段に信号を出力する。そして、例えば、小役に係る信号が入力された遊技制御手段27は、貯留払い出し手段65を作動させて所定枚数のメダルを払い出すように制御する。また、例えば、再遊技役に係る信号が入力された遊技制御手段27は、再度の遊技の制御を行う。また、例えば、ボーナス役に係る信号が入力された特別遊技制御手段80は、特別遊技を開始する。より具体的には、例えば、ＢＢ役に係る信号が入力された特別遊技制御手段80は、ＢＢゲームを開始する。
（計時手段150）
計時手段150は、所定時間を計時するためのものであって、本実施の形態を実施するにあたって、種々の時間を時間するものであり、複数のタイマー機構を備えているものである。例えば、１回の遊技制限時間である４．１秒の計時も行うとともに、フリーズ制御手段200によるフリーズ演出を実施する時間等の計時も行うものである。また、その他の種々の時間を、計時或いはカウントするためのものである。その方法は、所定時間までのカウントアップによるものであるが、これに限定されず所定時間からのカウントダウンによるものでもよい。
【００５６】
（回転位置判断手段161（回転位置検出手段160））
回転位置判断手段161は、回転位置検知装置46からのインデックス47がインデックスセンサ48を通過したタイミングと、その時点からのステッピングモータ64へのパルス信号の入力数とに基づいて、各回転リール40の現在の回転位置を把握するためのものである。この回転位置判断手段161と回転位置検知装置46（インデックス47及びインデックスセンサ48）とにより、回転リール40の回転位置を検出する回転位置検出手段160を構成している。これにより、予め定めた基準の位置、例えば、図柄表示窓13の中段位置を中心として、その上下の上段及び下段に現在、通過している図柄を回転中であってもリアルタイムで認識することが可能となるものである。そして、そのデータは、インデックス47がインデックスセンサ48を通過するごとに最新の正確なデータに更新されるように形成されている。そして、この回転位置判断手段161により検出された３つの回転リール40の回転中の回転位置データは、更新される毎に、回胴演出中、回転位置判断手段161へ送出されるように形成されている。なお、ここで、データの更新とは、インデックスセンサ48をインデックス47が通過するごとに、回転位置判断手段161におけるパルス信号の入力数に基づくステップ数のカウントが０にリセットされ、それに基づく基準位置等の種々のデータが適正なものになることを意味する。
【００５７】
（フリーズ制御手段200）
フリーズ制御手段200は、遊技を進行させることができないフリーズ状態を、所定時間（フリーズ時間）、実行するものである。
具体的には、フリーズ制御手段200は、フリーズ演出を実行することが決定された場合に、遊技の進行を遅延させるものである。
ここで、「遊技の進行の遅延」とは、スタートスイッチ30が操作されてから全ての回転リール40が所定の定常回転速度に達して定速回転するまでの時間や、全ての回転リール40が所定の定常回転速度に達してからストップスイッチ50が有効となるまでの時間や、ストップスイッチ50の操作から当該操作が有効となるまでの所定時間や、メダルを払い出す場合に、停止図柄判定手段140による判定が行われてからメダルの払い出しを開始するまでの時間や、当該遊技が終了してから次回の遊技の開始の受け付けまでの時間を、通常の遊技の進行よりも遅らせるものである。そして、このときの「遊技の進行の遅延」は、一般に「フリーズ演出」などと称されるものである。
【００５８】
本実施の形態では、有利遊技移行役は、ＢＢゲーム中にのみ抽選を行うように形成されており、フリーズ制御手段200は、その有利遊技移行役に当選した場合に、フリーズ演出を発生させるように形成されている。もちろん、これに限定されるものではなく、有利遊技移行役を通常遊技等の他の遊技中に抽選してもよいものであり、また、フリーズ演出の発生の契機も、有利遊技移行役に当選した場合だけでなく、他の役に当選した場合や、所定役の図柄を有効ラインに揃えたときや、その他の所定の契機に設定してもよい。
本実施の形態では、フリーズ制御手段200は、スタートスイッチ30が操作されてから全ての回転リール40が所定の定常回転速度に達して正方向に定速回転するまでの時間を、通常の遊技の進行よりも遅らせることにより、遊技の進行を遅延させるものである。
【００５９】
具体的には、フリーズ制御手段200は、原則として、フリーズ演出を実行することが決定されたことを契機に、遊技の進行の遅延を開始する旨の信号である遅延開始信号を回転制御手段280に出力する。これにより、回転制御手段280による通常の回転処理は行われず、フリーズ制御手段200によるフリーズ演出が開始される。
そして、フリーズ制御手段200は、計時手段150により計時される計時時間が取得した遅延時間に達し、フリーズ演出が終了したことを契機に、遊技の進行の遅延を終了する旨の信号である遅延終了信号を回転制御手段280に出力する。
そして、上述の如く、遅延開始信号が入力されると、回転制御手段280は、加速処理の開始を一旦保留し、その後、遅延終了信号が入力されると、加速処理を開始する。これにより、スタートスイッチ30が操作されてから全ての回転リール40が所定の定常回転速度に達して正方向に定速回転するまでの時間が、回胴演出の実施により、通常の遊技の進行よりも遅れることとなり、遊技の進行が遅延することとなる。
【００６０】
また、フリーズ制御手段200は、フリーズ演出を実行することが決定されたとき、演出制御手段240に信号を出力し、この演出制御手段240により、報知手段66の表示装置68に、フリーズ時間中におけるベットスイッチ16の操作をうながす報知を行わせる。
なお、本実施の形態では、かかるフリーズ時間中におけるベットスイッチ16の操作をうながす報知を報知手段66により実行するが、必ずしも報知することに限定されるものではなく、報知手段66による報知を行わないようにしてもよい。例えば、遊技ホールに置いた当該遊技機10の遊技内容の情報を記載した冊子等や、遊技業界の一般雑誌等にその旨を記載することで、遊技者に知らしめるようにしてもよい。また、そのような全く情報を報知することなく、遊技者がフリーズ時間中にベットスイッチ16を押下すると、回胴演出が行われることを遊技経験により知らしめるようにしてもよい。
【００６１】
（回胴演出選択実行手段250）
回胴演出選択実行手段250は、フリーズ時間中の所定の操作スイッチ（本実施の形態ではベットスイッチ16）の操作に基づいて、回転リール40の回転を用いて行う複数の回胴演出のうちから、１つの回胴演出を選択して実行するものである。
具体的には、回胴演出選択実行手段250は、複数種類の回胴演出の内容を記憶する回胴演出記憶手段251と、回胴演出記憶手段251に記憶した複数の回胴演出のうちから、１つの回胴演出を選択する回胴演出選択手段252と、この回胴演出選択手段252が選択した回胴演出を、実行するための回胴演出実行手段253とを備えている。
【００６２】
（回胴演出記憶手段251）
回胴演出記憶手段251は、予め定めた複数種類の回胴演出の内容を記憶しているものである。具体的には、予め定めた複数種類の回胴演出は、回転リール40を所定方向に所定角度αだけ回転させる動作と、所定方向とは逆の方向に所定角度αだけ回転させる動作とを行う反転動作をするように形成されているものである。本実施の形態では、正転及び逆転の１回の動作を行うように形成されているが、連続して複数回の正転及び逆転の反転動作を繰り返すように形成してもよい。
なお、正転と反転の角度αは、必ずしも同一角度に限定されずに、それらの角度を正転α１及び反転α２として、α１とα２とは異なる角度となるように設定することもできる。但し、この場合は、反転動作、停止した回転リール40の元の図柄位置から、ずれることになる。
【００６３】
回胴演出としては種々のものが想定されるが、本実施の形態では、回胴演出は次のようなものである。
本実施の形態では、回胴演出の態様として、回転リール40の回転角度を変更しているものがある。この回胴演出は、その所定角度の大きさが異なる態様のものが複数種類（本実施の形態では２種類、もちろん、２種類以上の個数設けてもよい）、設けられている。具体的には、正転及び反転の回転角度が所定角度αの種別１（回胴演出（大））と、正転及び反転の回転角度がこの角度αよりも小さな角度に設定した角度β（α＞β）の種別２（回胴演出(小））との２種類設けてある。
【００６４】
また、回胴演出の態様として、回転リール40の回転速度を変更するようにしてもよい。具体的には、例えば、回胴演出は、回転リール40を所定方向に所定角度γだけ回転させる動作と、所定方向とは逆の方向に所定角度γだけ回転させる動作とを行う反転動作をするように形成され、且つ、回胴演出は、その所定角度γまでの回転リール40の正転（遊技中の回転リール40の回転方向と同一回転方向）及び逆転（遊技中の回転リール40の回転方向と逆回転方向）の回転速度が異なる態様のものが複数（本実施の形態では高速と低速との２種類、もちろん、２種類以上に形成してもよい）、設けられるように形成してもよい。具体的には、その所定角度γまでの正転及び逆転の回転速度Ｖ１の種別１（回胴演出（高速））と、この回転速度Ｖ１よりも低速回転となる回転速度Ｖ２の種別２（回胴演出（低速））とからなるものである。また、本実施の形態では、各回転速度で正転及び逆転の１回の動作を行うように形成されているが、連続して複数回の正転及び逆転の反転動作を繰り返すように形成してもよい。
【００６５】
また、回胴演出の態様として、上記回転角度の大小と、回転速度の高速及び低速とを組み合わせた複数種類の回胴演出を形成してもよい。具体的には、回転角度が所定角度α且つ回転速度Ｖ１の種別１（回胴演出（大且つ高速））と、回転角度が所定角度β且つ回転速度Ｖ２（回胴演出（小且つ低速））の種別２とからなるような組み合わせでもよい。
また、回胴演出の態様として、回転角度が所定角度β且つ回転速度Ｖ１の種別１（回胴演出（小且つ高速））と、回転角度が所定角度α且つ回転速度Ｖ２の種別２（回胴演出（大且つ低速））とからなるような組み合わせでもよい。
また、回胴演出の態様として、上述したものに限定されず、上述したものの組み合わせに一時停止等を加えた複雑な挙動をするものにすることもできる。
【００６６】
また、上述した回胴演出は、回転リール40の回転挙動が異なる種別１と、種別２とを有していたが、必ずしもこれらの２種類に限定されるものではなく、３種類以上の複数種類の種別ｎ（ｎは、１以上の整数）を有するように形成してもよい。
（回胴演出選択手段252）
回胴演出選択手段252は、フリーズ時間中のベットスイッチ16の操作に基づいて、回転リール40の回転を用いて行う複数の回胴演出のうちから、１つの回胴演出を選択するためのものである。具体的には、回胴演出を実行すると決定されている場合に、フリーズ時間中にベットスイッチ16を操作すると、フリーズ演出抽選手段120の抽選により決定された回胴演出の内容、すなわち種別１（回胴演出（大））又は種別２（回胴演出（小））のうちのいずれかの回胴演出を、回胴演出記憶手段251から選択して、その内容を後述する回胴演出実行手段253に出力するとともに、それと同時に、種別１及び種別２のうち、いずれの種別の回胴演出を選択したかを、演出制御装置22（サブ基板24）に送信するものである。なお、フリーズ演出抽選手段120における種別１（回胴演出（大））と、種別２（回胴演出（小））との抽選確率は、それぞれ５０％となるように形成されているため、最終的にいずれか一方が選択される抽選確率は同一の５０％となる。もちろん、これに限定されるものではないが、この種別１（回胴演出（大））と、種別２（回胴演出（小））との抽選確率が５０％でない場合には、後述する両者の特典の平均値は、かかる抽選確率の数値を考慮した平均値が算出される。例えば、抽選確率が低い場合には、特典が大きなものが設定され、抽選確率が高い場合には、特典が小さなものが設定されることにより、最終的に期待される数値が略平均となるようなものを含む。
【００６７】
（回胴演出実行手段253）
回胴演出実行手段253は、フリーズ時間中のベットスイッチ16の操作に基づいて、回胴演出選択手段252により選択された回胴演出を実行するものである。
回胴演出実行手段253は、上記回胴演出選択手段252から選択された種別１若しくは種別２の回胴演出のうちいずれかの回胴演出を、フリーズ時間中のベットスイッチ16の操作に基づいて、リールユニット60のモータドライバ62を介して、回転リール40の所定の回転を用いて行う回転挙動である回胴演出を実行する。
回胴演出実行手段253は、回胴演出（大）である種別１を実行する場合、フリーズ時間中に、遊技者がベットスイッチ16を所定回数（Ｍ回、Ｍは１以上の整数、本実施の形態では、所定回数Ｍ＝１回に設定）、押下操作すると、回転リール40を１図柄分（２４ステップ）だけ正方向（通常の回転方向）に回転して、その後、直ぐに１図柄分（２４ステップ）だけ逆転（通常の回転方向と逆方向の回転）して元の位置に戻る回胴演出を１回だけ行わせるものである。
【００６８】
また、回胴演出実行手段253は、回胴演出（小）である種別２を実行する場合、フリーズ時間中に、遊技者がベットスイッチ16を所定回数（Ｍ回、Ｍは１以上の整数、本実施の形態では、所定回数Ｍ＝１回に設定）、押下操作すると、回転リール40を０．５図柄分（１２ステップ）だけ正方向（通常の回転方向）に回転して、その後、直ぐに０．５図柄分（１２ステップ）だけ逆転（通常の回転方向と逆方向の回転）して元の位置に戻る回胴演出を１回だけ行わせるものである。
ここで、この回胴演出の契機となる操作スイッチは、ベットスイッチ16に設定しているが、特にこれに限定されることなく、スタートスイッチ30、ストップスイッチ50、精算スイッチ17等の他の操作スイッチに設定してもよく、また、専用の操作スイッチを別途形成してもよいものである。
【００６９】
また、回胴演出は、上述した移動距離（０．５図柄又は１図柄）や、移動方向（正転から逆転）や、移動回数（１回）に限定されるものではなく、他の移動距離、移動方向、移動回数に設定してもよいものである。例えば、０．２図柄の移動距離で、逆転から正転するような移動方向で、１回のベットスイッチ16の押下操作到達で５回の移動回数を行わせて小刻みに振動するような回転挙動にしてもよい。また、２図柄の移動距離で、逆転から正転するような移動方向で、１０回のベットスイッチ16の押下操作到達で１回の移動回数を行わせるようにしてもよい。
また、本実施の形態では、回胴演出実行手段253は、回転リール40の正転及び反転に伴う回胴演出を実行しているが、フリーズ時間中の所定のスイッチ操作に基づくものであれば、回胴演出に限定されるものではない。上述した回胴演出の代わりに、遊技機10の前面に配置してモータやソレノイド等で可動する箇所を有するキャラクター人形による可動演出や、その他の機械構造を有する機構により可動するように形成し、回胴演出実行手段253に代わって、これらの演出を実行する演出実行手段により行うようにしてもよい。これらの場合、回胴演出実行手段253の代わりに、演出制御装置22に演出実行手段としての可動役物演出実行手段を設け、この可動役物演出実行手段にキャラクター人形等の顔や手足等が可動可能な可動役物による可動演出を実行させるようにしてもよい。すなわち、フリーズ時間中の遊技者のスイッチ操作に基づく回胴演出の代わりに、フリーズ時間中の遊技者のスイッチ操作に基づいて可動役物の可動部分（顔や手足や体全体等）がソレノイドやモータ等を介して可動する演出が実行可能なものである。そして、遊技者のスイッチ操作の回数ではなく、かかるキャラクター人形等の顔や手足等の可動部分が可動した回数に基づいて所定の特典を付与可能なものである。なお、可動部分が可動している最中は、遊技者のスイッチ操作を実行しても、かかるスイッチ操作が無効となるように形成されているものである。そのようなキャラクター人形等の顔や手足等を可動させる場合には、上述した種別１（回胴演出大）と種別２（回胴演出小）の回胴演出は、例えば、種別１のときは、顔や手足等の可動部分の可動角度が種別２よりも大きくなったり、また、可動速度が速くなったりするものを含み、そして、種別２のときは、顔や手足等の可動部分の可動角度が種別１よりも小さくなったり、また、可動速度が遅くなったりするものを含む。もちろん、これに限定されるものではなく、可動方向を変更するようなものでもよく、また、可動角度や可動速度や可動方向等を組み合わせた動作をするようなものでもよく、また、全く異なる動作をするようにしてもよい。
【００７０】
また、更に、演出実行手段は、上述したような回胴演出やキャラクター人形による機械構造を有する機構と同様の移動速度やタイミングで動作を実行する動画像を所定のプログラムにより液晶表示装置である表示装置68に表示させるようにしてもよい。このときは、演出制御装置22に、回胴演出やキャラクター人形による機械構造を有する可動部分の機構と同様の移動速度やタイミングで動きを表示するような遅延動作を液晶表示装置に動画像として表示可能なプログラム演出実行手段を設け、このプログラム演出実行手段により、かかる遅延動作を液晶表示装置からなる表示装置68に表示させるように形成してもよい。このようにしても、本実施の形態と同様の作用及び効果を有する。
【００７１】
（有利遊技制御手段220）
有利遊技制御手段220は、有利遊技を制御するものである。本実施の形態に係る有利遊技制御手段220は、有利遊技として、表示装置68に、役抽選手段110の抽選の結果を示唆する情報を表示させることにより、当選した小役を遊技者に対して告知する、という態様の遊技を行う。このような態様の有利遊技は、アシストタイム（ＡＴ）などと呼ばれるものである。この有利遊技は、有利遊技移行役を有効ラインに停止表示させることにより、所定遊技回数だけ実施可能となるように形成されている。遊技者は、表示装置68に表示された情報を見て、当選した小役に対応する図柄の組み合わせがいずれかの有効ライン上に停止するようタイミングを図ってストップスイッチ50を操作することにより、告知がない場合と比較してより多くの小役に対応する図柄の組み合わせを有効ライン上に停止表示させることができ、ひいてはより多くの枚数のメダルを獲得することができる。これにより、有利遊技としてのアシストタイム（ＡＴ）は、遊技者にとって通常遊技よりも有利な遊技となっている。
【００７２】
具体的には、図６に示すように、小役としての３択役青７（青７、プラム、プラム）、３択役白７（白７、プラム、プラム）、３択役赤７（赤７、プラム、プラム）がある。図５に示すように、左リール43において、図柄「青７」と、図柄「白７」と、図柄「赤７」とは、例えば、表示窓13に停止又は引き込み可能な最大引き込み可能範囲が７コマの範囲である場合には、１個しか存在していない。このため、小役としての３択役青７、３択役白７、３択役赤７のうち、いずれかの役が当選している場合には、目押しの技量に優れたものであっても、いずれの役が当選しているか報知されない場合には、その引き込み確率は３分の１となる。それに対して、ＡＴ中では、かかる小役としての３択役青７、３択役白７、３択役赤７のうち、いずれの役が当選しているかを特定して遊技者に報知する。これにより、当選した図柄を有効ライン上に停止させることができる可能性が飛躍的に増加して、獲得できるメダル枚数を増加させることができるものである。
【００７３】
また、本実施の形態では、有利遊技制御手段220は、有利遊技として、当選した小役を遊技者に対して５０回の遊技にわたって告知するノーマルアシストタイム（ノーマルＡＴ）と、成立した小役を遊技者に対して１００回の遊技にわたって告知するスーパーアシストタイム（スーパーＡＴ）と、成立した小役を遊技者に対して７５回の遊技にわたって告知する平均アシストタイム（平均ＡＴ）とを実行することが可能に形成されている。このように、当選した小役を遊技者に対して告知する遊技の回数を異ならせることにより、有利さの度合いが異なる複数態様の有利遊技を実行可能とされている。この平均ＡＴは、ノーマルＡＴと、スーパーＡＴとの告知回数の平均値となっており、遊技者に付与される利益が、ノーマルＡＴとスーパーＡＴとの遊技者への利益の平均の利益を付与するように設定されている。
【００７４】
また、有利遊技は、所定の小役の当選を告知するＡＴであるが、かかるＡＴと併せて再遊技役の当選確率を通常遊技よりも増加させたアシストリプレイタイム（ＡＲＴ）としてもよいものである。
また、ここで、上述したＡＴゲームでは、ノーマルＡＴとスーパーＡＴとでは、遊技回数が異なるように形成されているが、特にこれに限定されるものではなく、このような特殊遊技としての有利遊技（ＡＴゲーム）の遊技進行に関連する報知を行うか否かの報知抽選の抽選確率が異なるように形成してもよい。すなわち、当選した小役を告知するか否かを所定の抽選確率に基づく抽選により決定するものであり、その報知抽選確率を所定の値に設定したノーマルＡＴと、その報知抽選確率をノーマルＡＴよりも高確率に設定したスーパーＡＴとを備えるようにしてもよい。そして、後述する特典付与手段270が付与する特典は、かかるＡＴゲーム中の遊技における遊技進行に関連する報知を行うか否かの報知抽選確率を、回胴演出の種別の相違により、増加させるように形成してもよい。このように形成することで、本実施の形態と同様に、回胴演出の種別の相違に基づく特典により、ＡＴゲーム中の遊技における遊技進行に関連する報知を行うか否かの報知抽選の抽選確率を増加することができ、より多くの遊技進行に関連する報知を得ることができて、より多くの利益獲得の期待感を高揚させることが可能となる。
【００７５】
（演出データ記憶手段230）
演出データ記憶手段230は、実行する演出の演出データと、演出を実行する確率である実行確率を予め定めた実行確率データとを記憶するものである。演出の実行内容は、表示装置68の表示、演出用の報知ランプ69の点灯・点滅、スピーカからの発音などにより構成されている。
（演出制御手段240）
演出制御手段240は、演出を実行するものである。本実施の形態では、演出制御手段240は、役抽選手段110による役抽選の結果に基づいて、演出データ記憶手段230からの演出データに基づいて、対応する演出を、演出抽選の結果により、実行可能とするように形成されている。
【００７６】
（特典付与手段270）
特典付与手段270は、回胴演出情報に基づき、すなわち、回胴演出選択実行手段250が実行した回胴演出の態様に基づいて、回胴演出情報に基づいて、遊技者に所定の特典を付与するものである。
特典付与手段270は、遊技者への利益付与の大きさが異なる複数の特典と、回胴演出の複数の態様とを対応させるとともに、遊技者への利益付与の大きさが異なる複数の特典のうちから、実行された回胴演出の態様に対応させた特典を、遊技者に付与するように形成されている。
【００７７】
具体的には、特典付与手段270は、特典内容判定テーブル記憶手段271と、特典内容設定手段272と、特典内容報知設定手段273とを備えている。
（特典内容判定テーブル記憶手段271）
特典内容判定テーブル記憶手段271は、特典内容を決定するために、予め、回胴演出情報に対応する特典内容を記憶しているものである。
具体的には、特典内容判定テーブル記憶手段271は、回胴演出（大）情報に対応して、ＡＴ遊技回数１００回を記憶し、回胴演出（小）情報に対応して、ＡＴ遊技回数５０回を記憶し、回胴演出（大）及び（小）のいずれも受信しない場合に対応して、ＡＴ遊技回数７５回を記憶している。
【００７８】
もちろん、上述した数値に限定されるものではなく、もっと細かく分類して、有利遊技の回数を設定してもよく、更に、遊技者に付与される特典として、有利遊技の回数の増加だけではなく、ｎ回（ここで、ｎは１以上の整数）を１セットとしたＡＴのセット数を追加して増加させるものや、ＡＴの報知確率の増加や、ＡＴの追加抽選の抽選確率の増加等、種々のものを記憶するように設定することができる。
（特典内容設定手段272）
特典内容設定手段272は、特典内容判定テーブル記憶手段271に記憶した特典内容判定テーブルに基づいて、回胴演出選択手段252からの回胴演出情報を受信した場合、特典内容判定テーブル記憶手段271のデータに基づいて、特典内容を決定するものである。具体的には、特典内容設定手段272は、回胴演出選択手段252から回胴演出（大）情報を受信した場合には、スーパーＡＴであるＡＴ遊技回数（大）のＡＴ遊技回数１００回を設定する。また、特典内容設定手段272は、回胴演出選択手段252から回胴演出（小）情報を受信した場合には、ノーマルＡＴであるＡＴ遊技回数（小）のＡＴ遊技回数５０回を設定する。また、特典内容報知設定手段273は、フリーズ演出終了情報を受信した際、いずれの回胴演出情報も受信していない場合には、フリーズ時間中にベットスイッチ16を操作した場合に得られる遊技者の利益の平均値に設定したものであって、平均ＡＴであるＡＴ遊技回数（中）のＡＴ遊技回数７５回を設定する。
【００７９】
（特典内容報知設定手段273）
特典内容報知設定手段273は、特典内容設定手段272により判断された特典内容を、遊技者に報知するため、演出データ記憶手段230からの演出データにより、所定データを採取して、演出制御手段240を介して、報知手段66に報知演出させるためのものである。
（遊技機10の動作）
以下、図９〜図１１に示すフローチャートに基づいて、本実施の形態に係る遊技機10の動作の概略を説明する。
まず、遊技機10の遊技制御装置21における処理であるメイン制御処理についてＢＢゲーム中のフローを説明する。
【００８０】
図９に示すステップ１１０において、前回遊技において、再遊技役の図柄が有効ライン上に停止表示されたか否かが判定される。そして、再遊技役の図柄が停止表示されたと判定された場合、ステップ１１１に進み、停止表示されないと判定された場合、ステップ１１２に進む。
ステップ１１２において、所定枚数のメダルがベットされたか否かが判定される。そして、ベットされたと判定された場合、ステップ１１３に進み、ベット処理が行われ、ベットされていないと判定された場合、ステップ１１２の前に戻る。
ステップ１１１において、再遊技のベット処理が行われる。具体的には、遊技機10の内部の制御によりクレジット数を減らすことなく、遊技開始の条件としてのメダルが、遊技者が投入することなく、自動的に内部投入されるものである。そして、ステップ１１４に進む。
【００８１】
ステップ１１４において、スタートスイッチ30の操作が行われたか否かの判定が行われ、操作が行われたと判定された場合、次のステップ１１５に進み、操作が行われないと判定された場合、ステップ１１４の前に戻る。
ステップ１１５において、役抽選手段110により役抽選処理が行われる。そして、次のステップ１１６に進む。
ステップ１１６において、フリーズ演出を行うか否かが判定される。具体的には、有利遊技移行役が当選していたらフリーズ演出を実行するように判断され、当選していない場合にはフリーズ演出を実行しないように判断されるものである。そして、フリーズ演出を行うと判定された場合には、次のステップ１１７に進む。一方、フリーズ演出を行わないと判定された場合には、ステップ１１８に進む。
【００８２】
そして、ステップ１１７において、フリーズ演出抽選手段120により、フリーズ演出の回胴演出の種別１又は種別２のいずれになるかの抽選が行われる。そして、その種別内容の抽選の結果、回胴演出の種別１又は種別２かの種別内容等の演出情報を演出制御装置22（サブ基板24）に送信する。そして、次のステップ１１８に進む。
ステップ１１８において、ウェイト制御手段190により、ウェイト時間を計時する計時手段150により計時される計時時間が４．１秒以下であるか否かが判断される。ここで、４．１秒以下であると判断されると、ステップ１１９に進む。一方、４．１秒以下でない、すなわち４．１秒を超えていると判断されると、ステップ１２０に進む。
【００８３】
ステップ１１９において、ウェイト制御手段190によりウェイト処理が行われる。そして、次のステップ１２０に進む。
ステップ１２０において、フリーズ制御手段200によりフリーズ演出を行うか否かが判定される。そして、フリーズ演出を行うと判定された場合、次のステップ１２１に進み、フリーズ演出を行わないと判定された場合、ステップ１２２に進む。
ステップ１２１において、フリーズ演出処理が実施される。そして、次のステップ１２２に進む。
なお、ここで、通常、回転リール40による回胴演出を行わないような場合には、回転リール40は、回転停止状態から回転を開始して、回転速度を増加させ、その後、所定時間を経過して、回転速度が一定の安定したもの、いわゆる「定常回転速度」となる。
【００８４】
ステップ１２２において、フリーズ制御手段200により、フリーズ演出終了情報が演出制御装置22に送信される。また、回転リール40の回転が開始される。そして、全回転リール40の回転速度が、定常回転速度へ移行し、その後、ストップスイッチ50の停止操作の有効化、すなわち、停止操作が可能な状態となる。そして、次のステップ１２３に進む。
ステップ１２３において、ストップスイッチ50が操作されたか否かが判定される。そして、ストップスイッチ50が操作されたと判定された場合、次のステップ１２４に進み、操作されていないと判定された場合、ステップ１２３の前に戻る。
ステップ１２４において、停止制御手段130により、操作されたストップスイッチ50に対応する回転リール40の停止制御が行われる。そして、次のステップ１２５に進む。
【００８５】
ステップ１２５において、遊技制御手段27により、全ての回転リール40の回転が停止したか否かが判断される。ここで、全ての回転リール40の回転が停止したと判断されると、ステップ１２６に進む。一方、全ての回転リール40の回転が停止していないと判断されると、ステップ１２３に戻る。
ステップ１２６において、停止図柄判定手段140により、いずれかの役に対応する図柄の組み合わせが、いずれかの有効ライン上に停止表示されたか否かが判断される。ここで、停止表示されたと判断されると、ステップ１２７に進む。一方、停止表示されていないと判断されると、当該処理が終了する。
【００８６】
ステップ１２７において、遊技制御手段27により、停止表示された図柄の組み合わせに対応する役に応じた処理が行われる。例えば、いずれかの小役に対応する図柄の組み合わせが停止表示された場合には、当該役に応じた枚数のメダルの払い出しが行われる。そして、当該処理が終了する。
次に上述したフリーズ演出処理のフローについて説明する。
図１０に示すステップ２１２において、フリーズ演出が開始される。そして、次のステップ２１３に進む。
ステップ２１３において、フリーズ制御手段200により、演出制御装置22を介して、表示装置68にベットスイッチ16の押下操作を促す、遊技者への報知が行われる。具体的には、フリーズ時間中のベットスイッチ16の押下操作により将来付与される可能性のある特典の内容を類推することができる旨、表示されるものである。なお、かかる報知を省略する場合には、当該ステップは実行しない。そして、次のステップ２１４に進む。
【００８７】
ステップ２１４において、当該遊技中のフリーズ時間中に遊技者によるベットスイッチ16の操作が行われたか否かが判定される。そして、操作が行われたと判定された場合、次のステップ２１５に進む。一方、操作が行われていないと判定された場合、ステップ２２０に進む。
なお、ここで、本実施の形態では、フリーズ時間中にベットスイッチ16の操作回数が１回以上行われたか否かを判定しているが、操作回数カウント手段や操作回数記憶手段を有することにより、フリーズ時間中のベットスイッチ16の操作回数が、予め定めた所定回数Ｍ回（ここで、Ｍは１以上の整数）に到達したか否かが判定するように形成してもよい。そして、予め定めた所定回数Ｍ回に到達したときだけ、所定の回胴演出や特典を付与するように形成してもよいものである。
【００８８】
ステップ２１５において、フリーズ演出抽選手段120の抽選の結果、フリーズ演出を実行する場合の回胴演出の種別内容が種別１であるか否かが判定される。そして、それが種別１であると判定された場合、次のステップ２１６に進む。一方、それが種別１ではないと判定された場合、ステップ２１８に進む。
ステップ２１６において、回胴演出選択手段252により回胴演出（大）情報が演出制御装置22に送信される。そして、ステップ２１７に進む。
ステップ２１７において、回胴演出実行手段253により、回胴演出（大）が実行される。なお、この回胴演出は、３個の回転リール40の全部が同時に同じ動作をする。なお、特定の回転リール40にかかる動作をさせてもよい。そして、ステップ２２０に進む。
【００８９】
ステップ２１８において、回胴演出選択手段252により、回胴演出（小）情報が、演出制御装置22に送信される。そして、ステップ２１９に進む。
ステップに２１９おいて、回胴演出（小）が実行される。なお、この回胴演出は、３個の回転リール40の全部が同時に同じ動作をする。もちろん、特定の回転リール40にかかる動作をさせてもよい。そして、ステップ２２０に進む。
ステップ２２０において、フリーズ制御手段200により、フリーズ演出が終了したか否かが判定される。そして、フリーズ演出が終了したと判定された場合、次のステップ２２１に進む。一方、フリーズ演出が終了していないと判定された場合、ステップ２１４に戻る。
【００９０】
ステップ２２１において、フリーズ制御手段200により、フリーズ演出の終了が行われる。そして、当該処理が終了する。
なお、本実施の形態では、フリーズ時間中は、ベットスイッチ16の操作を受け付けているが、必ずしもこれに限定されるものではない。具体的には、例えば、予めフリーズ時間を固定時間で決定しておき、このフリーズ時間の終了から所定時間前になると、遊技者によるベットスイッチ16等の操作を受け付けないように形成することができる。このようにせずに、遊技者のベットスイッチ16の操作を最後まで受け付けると、この受け付けによって発生する回転リール40による回胴演出が実行されている間に、フリーズ時間が終了してしまう可能性がある。すなわち、回胴演出中にフリーズ時間が終了すると、結果的に回胴演出を実行している時間分だけフリーズ時間が実質的に延びてしまうようなことが発生し得る。具体的には、フリーズ時間が終了しても、回胴演出が実行されていることにより、回転リール40を所定の定常回転速度で回転させるための移行処理、いわゆる定常回転処理（速度調整処理）の開始が遅れる。そして、その定常回転処理が終了した後のストップスイッチ50の有効化も遅れることになり、結果として、フリーズ時間が実質的に延びてしまう。かかる事態の発生を回避するため、フリーズ時間の終了から所定時間前になると、遊技者によるフリーズ時間中の回胴演出のためのベットスイッチ16の操作を受け付けないように形成してもよい。
【００９１】
図１１のフローにより、演出制御装置22（サブ基板24）により行われる特典付与処理について説明する。
先ず、ステップ３１１において、フリーズ制御手段200からのフリーズ演出情報（フリーズ演出の演出有り又は演出無しの情報や、演出有りの場合の演出種別の内容の情報）を、遊技制御装置21から受信したか否かが判定される。かかる情報を受信していると判定された場合、次のステップ３１２に進む。一方、かかる情報を受信していないと判定された場合、ステップ３１１の前に戻る。
ステップ３１２において、フリーズ演出無しか否かが判定される。フリーズ演出無しではない、すなわちフリーズ演出が実行されると判定された場合、次のステップ３１３に進む。一方、フリーズ演出無しであると判定された場合、当該処理は終了する。
【００９２】
ステップ３１３において、フリーズ演出の回胴演出の演出内容が、種別１であるか否かが判定される。そして、種別１であると判定された場合は、次のステップ３１４に進む。一方、種別１でないと判定された場合は、ステップ３１６に進む。
ステップ３１４において、特典内容設定手段272により、回胴演出（大）情報を受信しているか否かが判定される。そして、回胴演出（大）情報を受信していると判定された場合、次のステップ３１５に進む。一方、回胴演出（大）情報を受信していないと判定された場合、ステップ３１８に進む。
ステップ３１５において、特典内容設定手段272により、ＡＴ遊技回数（大）の内容であるＡＴゲームに移行した場合のＡＴ遊技回数１００回を設定する。そして、当該処理が終了する。
【００９３】
ステップ３１６において、特典内容設定手段272により、回胴演出（小）情報を受信しているか否かが判定される。そして、回胴演出（小）情報を受信していると判定された場合、次のステップ３１７に進む。一方、回胴演出（小）情報を受信していないと判定された場合、ステップ３１８に進む。
ステップ３１７において、特典内容設定手段272により、ＡＴ遊技回数（小）の内容であるＡＴゲームに移行した場合のＡＴ遊技回数５０回を設定する。そして、当該処理が終了する。
ステップ３１８において、フリーズ演出終了情報を受信したか否かが判定される。そして、フリーズ演出終了情報を受信したと判定された場合、次のステップ３１９に進む。一方、かかる情報を受信していないと判定された場合、ステップ３１３に戻る。
【００９４】
ステップ３１９において、特典内容設定手段272により、回胴演出（大）情報又は回胴演出（小）情報のいずれも受信しなかったか否かが判定される。そして、いずれの情報も受信していなかったと判定された場合、次のステップ３２０に進む。一方、いずれかの情報を受信していたと判定された場合、当該処理は終了する。
（作用・効果）
遊技者によるフリーズ時間中の遊技者参加型のベットスイッチ16の操作に基づいて、回胴演出の種別１と種別２との異なる演出内容である回胴演出のうちから、いずれか１つの回胴演出の種別が選択され、その選択された回胴演出が実行される。このように、回胴演出の態様をフリーズ時間中のベットスイッチ16の操作に基づいて行うことができるため、遊技の進行をすることができないフリーズ時間の演出中といえども、遊技者が遊技の一部に参加している感覚を得ることができる。そして、異なる回胴演出が実行され得るため、視覚的効果を向上させることができる。
【００９５】
更に、回胴演出の態様（種別１及び種別２）と、特典（ＡＴ遊技回数（小）及びＡＴ遊技回数（大））とが対応しているため、回胴演出の態様の相違によって、特典を類推することが可能となり、特典獲得の期待感を高揚させるとともに遊技の趣向を向上させることができる。
回転リール40の反転動作の回転角度が大きい種別１の演出が実行されると、遊技者に付与される利益が種別２のときよりも大きいＡＴ遊技回数（大）、具体的には、遊技回数が１００回のスーパーＡＴが選択される。そして、回転リール40の反転動作の回転角度が小さい種別２の演出が実行されると、遊技者に付与される利益が種別１のときよりも小さいＡＴ遊技回数（小）、具体的には、遊技回数が５０回のノーマルＡＴが選択される。これにより、遊技者は、回転リール40の回転角度を判断することにより、遊技者に将来付与される利益の大きさを類推することができる。これにより、回転角度が大きいときには、大きな利益を獲得可能なことが類推され、回転リール40の大きな回転角度による視覚的効果と相俟って、大きな利益獲得の期待感をよりいっそう高揚させることができる。
【００９６】
また、回転リール40の回転角度ではなく、回転速度を回胴演出の種別の違いにより変更させるように形成した場合には、回転リール40の反転動作の回転速度により、遊技者へ付与される特定内容の利益の大きさを類推することができる。これにより、回転リール40の反転動作の回転速度が速い演出が実行される程、遊技者への利益が大きい特典を獲得することが類推され、回転リールの速い回転による視覚的効果と相俟って、大きな利益獲得の期待感をよりいっそう高揚させることができる。
また、本実施の形態では、フリーズ時間中に、ベットスイッチ16の操作をしなくても、ベットスイッチ16の操作をした場合に付与される特典から算出される平均の利益を得ることができる。具体的には、ベットスイッチ16操作をした場合に付与される特典であるＡＴ遊技回数(大)の１００回と、ＡＴ遊技回数(小)の５０回とから算出される平均の利益であるＡＴ遊技回数(中)の７５回の特典を遊技者は利益として得ることができる。これにより、フリーズ時間中のベットスイッチ16の押下操作を実施した場合と、実施しなかった場合とで、遊技者が獲得できる利益としてのメダル獲得枚数の期待値を同じにすることができる。結果として、本実施の形態によれば、かかるベットスイッチ16の操作をしなくても、操作した場合とメダル獲得の期待値が同じになるように補填を行うことができるものである。したがって、スイッチ操作に参加したくない遊技者に対しても、特別に不利益となることがなく、かかる操作の有無に拘わらず遊技者間の公平を図ることができる。なお、上述した特典であるＡＴ遊技回数(大)の１００回と、ＡＴ遊技回数(小)の５０回とから算出される平均の利益であるＡＴ遊技回数(中)の７５回の特典における遊技回数の数値は、フリーズ演出抽選手段120における種別１（回胴演出（大））と、種別２（回胴演出（小））との抽選確率が、それぞれ５０％に設定されている場合のものである。この抽選確率は、かかる５０％に限定されるものではないが、その抽選確率が５０％以外の数値である場合には、上述したようなＡＴ遊技回数の数値（平均値７５回）は、その抽選確率の数値を考慮した平均値としての遊技回数が算出されることになる。
【００９７】
（第２の実施の形態）
第１の実施の形態では、有利遊技として、遊技回数５０回のノーマルアシストタイム（ノーマルＡＴ）と、遊技回数１００回のスーパーアシストタイム（スーパーＡＴ）と、遊技回数７５回の平均アシストタイム（平均ＡＴ）とを設け、フリーズ時間中にベットスイッチ16の操作をしない場合には、ノーマルＡＴとスーパーＡＴとにより獲得可能な平均の利益を獲得可能な平均ＡＴを実行することが可能に形成されていた。
本実施の形態では、有利遊技として、遊技回数５０回のノーマルアシストタイム（ノーマルＡＴ）と、遊技回数１００回のスーパーアシストタイム（スーパーＡＴ）とを設けている。そして、フリーズ時間中にベットスイッチ16の操作をしない場合には、ノーマルＡＴとスーパーＡＴとのいずれかのＡＴが実施可能となるように別途、抽選により選択するように形成されている。そして、その抽選におけるノーマルＡＴとスーパーＡＴとの抽選確率は、いずれも５０％に設定されている。
【００９８】
更に、具体的には、本実施の形態では、特典内容判定テーブル記憶手段271は、ノーマルＡＴと、スーパーＡＴとの遊技回数だけを記憶している。
そして、特典内容設定手段272は、第１の実施の形態と同様に、回胴演出選択手段252から回胴演出（大）情報を受信した場合には、スーパーＡＴであるＡＴ遊技回数（大）のＡＴ遊技回数１００回を設定し、回胴演出選択手段252から回胴演出（小）情報を受信した場合には、ノーマルＡＴであるＡＴ遊技回数（小）のＡＴ遊技回数５０回を設定する。そして、特典内容報知設定手段273は、フリーズ演出終了情報を受信した際、いずれの回胴演出情報も受信していない場合には、抽選により、スーパーＡＴの遊技回数１００回か、ノーマルＡＴの遊技回数５０回かのいずれかを選択するものである。この抽選は、役抽選手段110と同様に、特典内容設定手段272が有する乱数発生手段、乱数抽出手段、抽選確率テーブル、判定手段により実施される。
【００９９】
具体的には、図１２に示すようなフローにより実施されるものであって、第１の実施の形態の図１１のフローのステップ３２０が、新たにステップ４２０に変わっているものでその他の構成やフロー等は同一となっているものである。すなわち、ステップ４２０において、特典内容設定手段272により、ＡＴ遊技回数(大）であるＡＴ遊技回数１００回と、ＡＴ遊技回数（小）であるＡＴ遊技回数５０回とのいずれかを、抽選確率５０％の確率で、抽選により選択して決定するものである。
本実施の形態では、フリーズ時間中に、ベットスイッチ16の操作をしなくても、ベットスイッチ16の操作をした場合に付与される特典のうちから、いずれかを５０％の公平な抽選確率に基づく抽選により選択して、獲得することができる。これにより、フリーズ時間中のベットスイッチ16の押下操作を実施した場合と、実施しなかった場合とで、遊技者が獲得できる利益としてのメダル獲得枚数の期待値を同じにすることができる。結果として、本実施の形態によれば、かかるベットスイッチ16の操作をしなくても、操作した場合とメダル獲得の期待値が同じになるように補填を行うことができるものである。したがって、スイッチ操作に参加したくない遊技者に対しても、特別に不利益となることがなく、かかる操作の有無に拘わらず遊技者間の公平を図ることができる。
【０１００】
（第３の実施の形態）
本実施の形態では、有利遊技として、遊技回数５０回のノーマルアシストタイム（ノーマルＡＴ）と、遊技回数１００回のスーパーアシストタイム（スーパーＡＴ）とを設けている。そして、フリーズ時間中にベットスイッチ16の操作をしない場合には、フリーズ演出抽選手段120により抽選したフリーズ演出の種別によって、ノーマルＡＴとスーパーＡＴとのいずれかのＡＴが実施可能となるように形成されている。
具体的には、図１３に示すようなフローにより実施されるものであって、第１の実施の形態の図１１のフローのステップ３２０が、新たにステップ５２０〜５２２に変わっているものでその他のフローの内容は同様の内容となっているものである。
【０１０１】
すなわち、ステップ５２０において、フリーズ演出抽選手段120の抽選の結果、回胴演出の種別１が抽選により選択されているか否かが判定される。そして、種別１が選択されている場合には、ステップ５２１に進む。一方、その抽選により種別１が選択されていない場合には、ステップ５２２に進む。
ステップ５２１において、ＡＴゲームの遊技回数として、スーパーＡＴのＡＴ遊技回数（大）の１００回が設定される。そして、当該処理が終了する。
ステップ５２２において、ＡＴゲームの遊技回数として、ノーマルＡＴのＡＴ遊技回数（小）の５０回が設定される。そして、当該処理が終了する。
【０１０２】
本実施の形態では、フリーズ時間中に、ベットスイッチ16の操作をしなくても、ベットスイッチ16の操作をした場合に付与される特典と同様に、フリーズ演出抽選手段120の抽選により決定された回胴演出の種別内容により、いずれかの特典が付与される。これにより、フリーズ時間中のベットスイッチ16の押下操作を実施した場合と、実施しなかった場合とで、遊技者が獲得できる利益としてのメダル獲得枚数の期待値を同じにすることができる。結果として、本実施の形態によれば、かかるベットスイッチ16の操作をしなくても、操作した場合とメダル獲得の期待値が同じになるように補填を行うことができるものである。したがって、スイッチ操作に参加したくない遊技者に対しても、特別に不利益となることがなく、かかる操作の有無に拘わらず遊技者間の公平を図ることができる。本実施の形態では、第２の実施の形態に係る特典内容設定手段272における乱数発生手段、乱数抽出手段、抽選確率テーブル、判定手段を有さないとともに、それらによる抽選処理を行わずに、スイッチ操作不参加の遊技者に対して、公平な特典を付与することが可能となる。
【０１０３】
（他の実施の形態）
また、上述した実施の形態では、有利遊技として、当選した小役を遊技者に対して告知するアシストタイム（ＡＴ）を実行するとしたが、ＡＴに限られるものではなく、例えば、（ａ）ＢＢやＲＢ等のボーナス遊技の当選、（ｂ）その当選役が有効ラインに停止表示、（ｃ）ボーナス遊技の終了、（ｄ）通常遊技中に所定図柄が有効ラインに停止表示、（ｅ）上記ｃ又はｄのいずれかの契機から所定回数の遊技の終了、
上記（ａ）〜（ｅ）のいずれかの契機で、再遊技の当選確率を変動させるとともに遊技開始又は終了契機となるように設定したリプレイタイム（ＲＴ）を実行するようにしてもよい。
【０１０４】
また、ＲＴ中においてＡＴを同時に実行可能なアシストリプレイタイム（ＡＲＴ）の遊技を行うようにしてもよい。また、例えば、いずれかの回転リール40のスベリコマ数を０コマ又は１コマにすることにより、いわゆる目押しを可能としたチャレンジタイム（ＣＴ）を実行するようにしてもよい。また、付与される特典もこれらの有利遊技の回数や、追加回数や、当選の抽選確率や、移行抽選確率等の種々のものに設定してもよい。更に、有利遊技として、上述したＡＴやＲＴやＡＲＴだけでなく、ＢＢゲームやＲＢゲームを含めて、それらの遊技中の遊技回数や、最大獲得可能なメダル数や、抽選確率、報知確率等の種々のものを、付与される特典の対象とすることもできる。
【０１０５】
また、上述した実施の形態では、アシストタイム（ＡＴ）は、当選した小役を遊技者に対して告知する遊技であるとしたが、これに限られるものではない。アシストタイム（ＡＴ）としては、例えば、当選した小役の図柄が有効ラインに停止表示可能となるストップスイッチ50の操作順序（いわゆる「押し順」）を報知するタイプのものでもよい。
本発明は、上述した実施の形態に限定されるものではなく、本発明の目的を達成できる範囲における変形および改良なども含むものである。また、本発明は、上述した実施の形態を適宜組み合わせる、または組み替えることもできる。
上述した第１〜第３の実施の形態において、図１１〜図１３のフローでは、いずれも、フリーズ時間中に遊技者によるベットスイッチ16の操作が行われたときに、回胴演出情報を演出制御装置22に出力して、特典（利益量）であるＡＴ遊技回数を決定し、更に、フリーズ時間が終了して、ベットスイッチ16の操作が行われなかったときに、フリーズ時間中にベットスイッチ16操作が行われなかったことに対する特典（利益量）であるＡＴ遊技回数を決定していたが、特にこれに限定されるものではない。具体的には、かかるフリーズ時間中のベットスイッチ16の操作が行われる前に、かかるベットスイッチ16の操作が行われた場合の特典（利益量）及びベットスイッチ16の操作が行われなかったときの特典（利益量）をそれぞれ予め算出しておいて、そして、当該操作が行われたとき、或いは行われなかったときに、予め算出した特典を設定するようにしてもよいものである。
【０１０６】
上述した実施の形態で、ベットスイッチ16の操作により発生した回胴の動作態様に応じて、特典を付与しているが、遊技者のベットスイッチ16の操作と、回胴の動作態様との関連性は、種々のものに設定することができる。具体的には、例えば、ベットスイッチ16の操作に基づいて、実行された回胴演出の回数を記憶する回数記憶手段と、この回数記憶手段が記憶した回胴演出の回数に基づいて、遊技者に所定の特典を付与可能な特典付与手段とを備え、この特典付与手段は、フリーズ時間終了時に回数記憶手段が記憶している回胴演出の回数に基づいて、遊技者に特典を付与可能に形成するようにしてもよい。そして、かかる回転リール40の回胴演出を検出する際、フリーズ時間中にベットスイッチ16が操作されたことを検出した場合、当該操作が回胴演出の非実行中になされたときは、当該操作を有効として、当該操作に基づく回胴演出を実行する一方で、当該操作が回胴演出の実行中になされたときは、当該操作を無効として、当該操作に基づく回胴演出を実行しないように形成してもよいものである。これにより、遊技者に付与される特典が、遊技者がベットスイッチ16を操作した回数ではなく、実際に実行された回胴演出の回数に基づいたものにすることができ、遊技者は、回胴演出の回数を、実際に自分の目で見て、確認することができ、付与される特典に納得し、不信感を抱くことがなく、安心して信頼感のある遊技を進行させることができる。
【０１０７】
本実施の形態では、有利遊技移行役は、ビッグボーナスゲーム中においてのみ抽選される役であるが、有利遊技としてのアシストタイムゲーム（ＡＴゲーム）へ移行するプロセスは、これに限定されるものではない。具体的には、例えば、ＢＢゲーム等に限定されずに、有利遊技移行役はいつでも抽選を行い当選することができ、当選すると、フリーズが発生し、回胴演出が可能となるように形成してもよい。そして、その回胴演出中の遊技者の所定のスイッチ操作に基づく回胴演出の回数によって特典としての種々の有利遊技（ＡＴ）が付与される（移行する）ことができるように形成してもよい。
また、遊技者が回胴演出中に、フリーズ時間中のベットスイッチ16の操作に参加した場合に、かかる操作に基づく回胴が動作した回数に応じて、ＡＴが付与されない、或いは所定のＡＴが付与されるように形成してもよい。ここで所定のＡＴとは、ＡＴの発生回数が異なるようなものである。具体的には、例えば、フリーズ時間中の遊技者のベットスイッチ16の操作に基づく回胴の動作回数（回胴演出回数）が０回のときは、有利遊技（ＡＴ）の発生無しに設定する。そして、かかる動作回数が１〜５回のときは、有利遊技（ＡＴ）の発生回数、すなわち、ＡＴの遊技回数が５０回となるように設定する。そして、かかる動作回数が６回以上のときは、有利遊技(ＡＴ)の発生回数、すなわち、ＡＴの遊技回数が１００回となるように形成してもよい。このように、回胴の動作回数（回胴演出回数）に基づいて、有利遊技の発生の有無及び発生回数（遊技回数）を決定してもよい。なお、上記設定は、種別に関係なく設定することもでき、また、各種別毎に、異なる数値に設定してもよい。ここで、遊技者が回胴演出中に、フリーズ時間中のベットスイッチ16の操作に参加しなった場合には、０回としてカウントするものである。
【０１０８】
また、フリーズ時間中のベットスイッチ16の操作に参加した場合には、１回の遊技の回胴の動作回数（回胴演出回数）で決定せずに複数回の遊技にわたる回胴動作回数（回胴演出回数）の平均値により、特典を付与してもよい。また、フリーズ時間中のスイッチ操作に参加しなかった場合には、回胴動作を０回とカウントし、かかる操作に参加した場合には、その回胴動作回数（回胴演出回数）に関わらず所定の有利遊技（ＡＴ）の発生回数（遊技回数）を付与するようにしてもよい。
また、回胴動作回数（回胴演出回数）の結果に応じて、ＡＴが付与されない、或いは所定の種類のＡＴが付与されるものに限定されず、有利遊技移行役が当選すると、ＡＴへの移行が確定し、遊技者の操作に基づく回胴演出の結果に基づいて、ＡＴの種類が選択されるように形成してもよい。
【０１０９】
また、本実施の形態に係る回胴演出は、３個の回転リール40が同時に同一の動作をするように形成されているが、必ずしもこれに限定されるものではない。例えば、フリーズ時間中に遊技者が操作可能なスイッチをベットスイッチ16ではなく、ストップスイッチ50に設定して、３個のストップスイッチ50のいずれか１つのストップスイッチ50を操作すると、そのストップスイッチ50に対応する回転リール40だけが、所定の回胴演出の動作をするように形成してもよい。
上述した第１〜第３の実施の形態において、フリーズ演出抽選手段120の抽選の結果により回胴演出の種別１又は種別２のいずれかに決定されていたが、この決定の手段は特にこれに限定されるものではない。具体的には、例えば、３個のストップスイッチ50に、回胴演出の動作対応を対応させて、遊技者が押したストップスイッチ50に応じて、回胴演出の動作対応（種別１（回胴演出（大））や、種別２（回胴演出（小））等の動作対応）を決定するようにしてもよい。例えば、フリーズ時間中に左ストップスイッチ50aを遊技者が操作すると、種別１（回胴演出（大））が選択され、種別２よりも回転リール40の回転角度が大きい或いは回転速度が速いような回胴演出が行われる。また、右ストップスイッチ50cを遊技者が操作すると、種別２（回胴演出（小））が選択され、種別１よりも回転リール40の回転角度が小さい或いは回転速度が遅いような回胴演出が行われる。また、中ストップスイッチ50bを遊技者が操作すると、その操作は無効として扱われるようなものである。そして、種別１の場合は、種別２の場合よりも、遊技者に対する利益が多くなるような特典が付与されるものである。また、中ストップスイッチ50bを遊技者が操作すると、特典大（種別１で有利遊技回数１００回が付与される利益大）と特典小（種別２で有利遊技回数５０回が付与される利益小）との平均値となるような特典中（利益中）である有利遊技回数７５回を付与するようにしてもよい。なお、その際、中ストップスイッチ50bの操作に対応する回胴演出（回転リール40の回転角度の変化によるものや、回転速度の変化による回胴演出）は、行われてもよいし、行われなくてもよいものである。なお、行う場合には、種別１及び種別２の中間の回転角度や、中間の回転速度となるようなものが好ましい。すなわち、中ストップスイッチ50bの特典中（利益中）に対応する回胴演出を行う場合には、回胴演出（大）と、回胴演出（小）との中間となるような動作、例えば、回転角度であれば、その回転角度大と、回転角度小との中間となるような回転角度に設定する。また、回胴演出により回転速度が変わるものであれば、回転速度（高速）と、回転速度（低速）との中間の回転速度となるような回転速度（中速）に設定する。
【０１１０】
また、上述した記載のうち、ベットスイッチ16の操作に基づく、回胴演出の回数に応じて所定の特典を付与するような場合には、フリーズ演出に当選し、フリーズ時間中に同様にベットスイッチ16を連打すれば、特典としての同一の発生回数（遊技回数）の有利遊技（ＡＴ）を獲得することができる。変化を好む遊技者にとっては、そのような画一的な遊技性を嫌うものがいる。このため、そのような遊技者のために、以下の（Ａ）〜（Ｄ）に示すように形成してもよい。
（Ａ）フリーズ時間を抽選により、毎回、可変させるようにする。これにより、フリーズ時間が毎回の遊技において抽選で決定され、フリーズ時間中に遊技者が操作するベットスイッチ16の操作可能な時間が変化し、それに伴って、かかる操作に基づいて発生する回胴動作（回胴演出）が可能な時間も変化することになる。これにより、フリーズ時間が思いもよらず短時間で終了することもあり得るため、フリーズ時間に突入すると、遊技者は特典を確保するために一生懸命、連打することになり、遊技が単調となることを防止することができる。
【０１１１】
（Ｂ）本実施の形態では、所定のフリーズ時間中の遊技者によるベットスイッチ16の操作により必ず回胴動作（回胴演出）が発生していたが、それを、遊技者のベットスイッチ16の操作ごとに、回胴動作（回胴演出）を実行するか否かを抽選で決定する。すなわち、遊技者は、フリーズ時間中にベットスイッチ16を叩いても必ず回胴動作（回胴演出）が発生するのではなく、発生しない場合もある。結果として、遊技者は、一生懸命、フリーズ時間中、特典を得るためにベットスイッチ16を叩くことになり、遊技の単調性を排除することができる。
（Ｃ）フリーズ時間中の遊技者によるベットスイッチ16の複数回の操作のうち、何回目かの特定の回数の操作があったときに、回胴動作（回胴演出）を発生させるように形成する。なお、複数の操作回数のうちの、かかる特定の回数は、予め定めた回数でもよいし（例えば、３回目、５回目、９回目等の特定の回数）、或いは、その特定の回数を抽選で決定するようにしてもよい。これにより、遊技者が、特定の操作回数に到達すべく、フリーズ時間中は、一生懸命、ベットスイッチ16を叩くことになり、単調性を排除することができる。
【０１１２】
（Ｄ）フリーズ時間中に遊技者が回胴動作（回胴演出）のために操作するスイッチを、ベットスイッチ16ではなく、ストップスイッチ50に設定し、３個のストップスイッチ50のうちのいずれか１個のストップスイッチ50を操作することで、回胴動作（回胴演出）が発生するように形成する。そして、そのストップスイッチ50を操作して回胴動作（回胴演出）を発生させるごとに、次に回胴動作（回胴演出）が発生するストップスイッチ50を、３個のうちのストップスイッチ50から抽選或いは予め定めた順番や液晶演出のシナリオに連動するような順番で決定する。そして、その抽選等によって決定されたストップスイッチ50を遊技者がフリーズ時間中の回胴動作（回胴演出）のために操作した場合には、回胴動作（回胴演出）が発生可能となるように形成するものである。これにより、回胴動作（回胴演出）が発生するストップスイッチ50を遊技者に探させるという新たな遊技性を発生させることができ、変化のある遊技にすることができる。
【符号の説明】
【０１１３】
10  遊技機                              16  ベットスイッチ
20  制御装置                            30  スタートスイッチ
40  回転リール                          50  ストップスイッチ
110  役抽選手段                        120  フリーズ演出抽選手段
200  フリーズ制御手段                  240  演出制御手段
250  回胴演出選択実行手段              270  特典付与手段
【図１】
0005291074.tif 000002
【図２】
0005291074.tif 000003
【図３】
0005291074.tif 000004
【図４】
0005291074.tif 000005
【図５】
0005291074.tif 000006
【図６】
0005291074.tif 000007
【図７】
0005291074.tif 000008
【図８】
0005291074.tif 000009
【図９】
0005291074.tif 000010
【図１０】
0005291074.tif 000011
【図１１】
0005291074.tif 000012
【図１２】
0005291074.tif 000013
【図１３】
0005291074.tif 000014